(57)【要約】【課題】ロック機構が引出部を不完全にロックしているハーフロック状態を検知するハーフロック状態検知部を設けなくても、ハーフロック状態の引出部が筐体から引き出されると異常に係る情報を出力することができるため、貨幣処理装置の構造をシンプルなものとすることができる有価媒体処理システム、有価媒体処理装置、プログラム、記録媒体および有価媒体処理方法を提供する。【解決手段】有価媒体処理システム１には、ロック機構５０による引出部（例えば、引出ユニット１３）のロックを解除する指令が管理装置３から有価媒体処理装置２に与えられていない状態で検知手段（例えば、検知センサ５９）による検知結果に基づいて引出部が筐体１２に収容されている収容状態から筐体１２から引き出された引出状態になったと判定されたときに異常に係る情報を出力する異常情報出力手段３０１が設けられている。【選択図】図２
2019169041.tif 000002
【特許請求の範囲】
【請求項１】
筐体から引き出し可能な引出部、前記引出部を前記筐体内でロックするロック機構、および前記筐体内に前記引出部が収容されていることを検知するための検知手段を有する有価媒体処理装置と、
前記有価媒体処理装置に通信可能に接続され、当該有価媒体処理装置の管理を行う管理装置と、
を備え、
前記ロック機構による前記引出部のロックを解除する指令が前記管理装置から前記有価媒体処理装置に与えられていない状態で前記検知手段による検知結果に基づいて前記引出部が前記筐体に収容されている収容状態から前記筐体から引き出された引出状態になったと判定されたときに異常に係る情報を出力する異常情報出力手段が設けられている、有価媒体処理システム。
【請求項２】
前記有価媒体処理装置の前記引出部には、有価媒体を収納する有価媒体収納部が設けられている、請求項１記載の有価媒体処理システム。
【請求項３】
前記異常情報出力手段により出力される異常に係る情報は、ハーフロック状態の前記引出部が前記筐体から引き出されたという情報である、請求項１または２に記載の有価媒体処理システム。
【請求項４】
前記異常情報出力手段により出力された異常に係る情報を報知するための報知手段が設けられている、請求項１乃至３のいずれか一項に記載の有価媒体処理システム。
【請求項５】
前記異常情報出力手段は前記有価媒体処理装置に設けられており、前記異常情報出力手段により出力された異常に係る情報が前記有価媒体処理装置から前記管理装置に送られる、請求項１乃至４のいずれか一項に記載の有価媒体処理システム。
【請求項６】
前記異常情報出力手段により異常に係る情報が出力されると、前記有価媒体処理装置における有価媒体の処理が規制される、請求項１乃至５のいずれか一項に記載の有価媒体処理システム。
【請求項７】
前記有価媒体処理装置において有価媒体の処理が行われている最中に前記異常情報出力手段により異常に係る情報が出力されると、前記有価媒体処理装置における有価媒体の処理が停止される、請求項１乃至６のいずれか一項に記載の有価媒体処理システム。
【請求項８】
前記有価媒体処理装置において停止された有価媒体の処理に係る情報が前記有価媒体処理装置から前記管理装置に送られる、請求項７記載の有価媒体処理システム。
【請求項９】
筐体から引き出し可能な引出部と、
前記引出部を前記筐体内でロックするロック機構と、
前記筐体内に前記引出部が収容されていることを検知するための検知手段と、
前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する異常情報出力手段と、
を備えた、有価媒体処理装置。
【請求項１０】
筐体から引き出し可能な引出部、前記引出部を前記筐体内でロックするロック機構、および前記筐体内に前記引出部が収容されていることを検知するための検知手段を有する有価媒体処理装置を備えた有価媒体処理システムのコンピュータにより実行することが可能なプログラムであって、当該プログラムを実行することにより、前記コンピュータが前記有価媒体処理装置を制御して有価媒体処理方法を実行させるものにおいて、
前記有価媒体処理方法が、
前記筐体内に前記引出部が収容されていることを前記検知手段により検知する工程と、
前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する工程と、
を備えた、プログラム。
【請求項１１】
筐体から引き出し可能な引出部、前記引出部を前記筐体内でロックするロック機構、および前記筐体内に前記引出部が収容されていることを検知するための検知手段を有する有価媒体処理装置を備えた有価媒体処理システムのコンピュータにより実行することが可能なプログラムを記憶する記録媒体であって、当該プログラムを実行することにより、前記コンピュータが前記有価媒体処理装置を制御して有価媒体処理方法を実行させるものにおいて、
前記有価媒体処理方法が、
前記筐体内に前記引出部が収容されていることを前記検知手段により検知する工程と、
前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する工程と、
を備えた、記録媒体。
【請求項１２】
筐体から引き出し可能な引出部、前記引出部を前記筐体内でロックするロック機構、および前記筐体内に前記引出部が収容されていることを検知するための検知手段を有する有価媒体処理装置による有価媒体処理方法であって、
前記筐体内に前記引出部が収容されていることを前記検知手段により検知する工程と、
前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する工程と、
を備えた、有価媒体処理方法。
【発明の詳細な説明】
【技術分野】
【０００１】
本発明は、貨幣等の有価媒体の処理を行う有価媒体処理装置および有価媒体処理装置の管理を行う管理装置を備えた有価媒体処理システム、貨幣等の有価媒体の処理を行う有価媒体処理装置、プログラム、記録媒体ならびに有価媒体処理方法に関する。
【背景技術】
【０００２】
スーパーマーケットやコンビニエンスストア等の商業施設の店舗において、商品棚が設置されるフロント領域の精算所には貨幣釣銭機が設置されるとともに顧客が立ち入ることができないバックヤード領域には貨幣入出金機が設置されている。このような貨幣釣銭機や貨幣入出金機等において、貨幣を収納する貨幣収納部等が設けられた引出部が筐体の内部に引き出し可能に収容されている。また、このような貨幣釣銭機や貨幣入出金機等では、筐体の内部で引出部をロックするロック機構が設けられており、ロック機構によるロックが解除されると引出部を筐体の内部から外部に引き出すことができるようになっている。
【０００３】
また、特許文献１には、ロック機構が引出部を完全にロックしているロック状態と、ロック機構が引出部を不完全にロックしているハーフロック状態と、ロック機構により引出部がロックされていない引出状態のうちどの状態であるかを検知する検知センサが設けられた媒体取引装置が開示されている。なお、引出部がハーフロック状態であるときには、当該引出部を筐体の内部から外部に引き出すことが可能となる。
【先行技術文献】
【特許文献】
【０００４】
【特許文献１】特許第５９１９９５３号
【発明の概要】
【発明が解決しようとする課題】
【０００５】
特許文献１に開示されるような従来の媒体取引装置では、引出部が筐体から引き出されたか否かを検知するインターロックスイッチとは別に、ロック機構が引出部を不完全にロックしているハーフロック状態を検知するためにロック機構の近傍にフォトインタラプタを設けたりロック機構と一体に遮蔽板を形成したりする必要があり、装置の構造が複雑になってしまうという問題がある。
【０００６】
本発明は、このような点を考慮してなされたものであり、ロック機構が引出部を不完全にロックしているハーフロック状態を検知するハーフロック状態検知部を設けなくても、ハーフロック状態の引出部が筐体から引き出されると異常に係る情報を出力することができるため、貨幣処理装置の構造をシンプルなものとすることができる有価媒体処理システム、有価媒体処理装置、プログラム、記録媒体および有価媒体処理方法を提供することを目的とする。
【課題を解決するための手段】
【０００７】
本発明の有価媒体処理システムは、筐体から引き出し可能な引出部、前記引出部を前記筐体内でロックするロック機構、および前記筐体内に前記引出部が収容されていることを検知するための検知手段を有する有価媒体処理装置と、前記有価媒体処理装置に通信可能に接続され、当該有価媒体処理装置の管理を行う管理装置と、を備え、前記ロック機構による前記引出部のロックを解除する指令が前記管理装置から前記有価媒体処理装置に与えられていない状態で前記検知手段による検知結果に基づいて前記引出部が前記筐体に収容されている収容状態から前記筐体から引き出された引出状態になったと判定されたときに異常に係る情報を出力する異常情報出力手段が設けられていることを特徴とする。
【０００８】
このような有価媒体処理システムによれば、ロック機構による引出部のロックを解除する指令が管理装置から有価媒体処理装置に与えられていない状態で検知手段による検知結果に基づいて引出部が収容状態から引出状態になったと判定されたときに異常に係る情報が出力されるため、ロック機構が引出部を不完全にロックしているハーフロック状態を検知するハーフロック状態検知部を設けなくても、ハーフロック状態の引出部が筐体から引き出されると異常に係る情報を出力することができ、よって貨幣処理装置の構造をシンプルなものとすることができる。
【０００９】
本発明の有価媒体処理システムにおいては、前記有価媒体処理装置の前記引出部には、有価媒体を収納する有価媒体収納部が設けられていてもよい。
【００１０】
本発明の有価媒体処理システムにおいては、前記異常情報出力手段により出力される異常に係る情報は、ハーフロック状態の前記引出部が前記筐体から引き出されたという情報であってもよい。
【００１１】
本発明の有価媒体処理システムにおいては、前記異常情報出力手段により出力された異常に係る情報を報知するための報知手段が設けられていてもよい。
【００１２】
本発明の有価媒体処理システムにおいては、前記異常情報出力手段は前記有価媒体処理装置に設けられており、前記異常情報出力手段により出力された異常に係る情報が前記有価媒体処理装置から前記管理装置に送られてもよい。
【００１３】
本発明の有価媒体処理システムにおいては、前記異常情報出力手段により異常に係る情報が出力されると、前記有価媒体処理装置における有価媒体の処理が規制されてもよい。
【００１４】
本発明の有価媒体処理システムにおいては、前記有価媒体処理装置において有価媒体の処理が行われている最中に前記異常情報出力手段により異常に係る情報が出力されると、前記有価媒体処理装置における有価媒体の処理が停止されてもよい。
【００１５】
この場合、前記有価媒体処理装置において停止された有価媒体の処理に係る情報が前記有価媒体処理装置から前記管理装置に送られてもよい。
【００１６】
本発明の有価媒体処理装置は、筐体から引き出し可能な引出部と、前記引出部を前記筐体内でロックするロック機構と、前記筐体内に前記引出部が収容されていることを検知するための検知手段と、前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する異常情報出力手段と、を備えたことを特徴とする。
【００１７】
このような有価媒体処理装置によれば、ロック機構による引出部のロックを解除する指令を受け付けていない状態で検知手段による検知結果に基づいて引出部が収容状態から引出状態になったと判定されたときに異常に係る情報が出力されるため、ロック機構が引出部を不完全にロックしているハーフロック状態を検知するハーフロック状態検知部を設けなくても、ハーフロック状態の引出部が筐体から引き出されると異常に係る情報を出力することができ、よって貨幣処理装置の構造をシンプルなものとすることができる。
【００１８】
本発明のプログラムは、筐体から引き出し可能な引出部、前記引出部を前記筐体内でロックするロック機構、および前記筐体内に前記引出部が収容されていることを検知するための検知手段を有する有価媒体処理装置を備えた有価媒体処理システムのコンピュータにより実行することが可能なプログラムであって、当該プログラムを実行することにより、前記コンピュータが前記有価媒体処理装置を制御して有価媒体処理方法を実行させるものにおいて、前記有価媒体処理方法が、前記筐体内に前記引出部が収容されていることを前記検知手段により検知する工程と、前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する工程と、を備えたことを特徴とする。
【００１９】
本発明の記録媒体は、筐体から引き出し可能な引出部、前記引出部を前記筐体内でロックするロック機構、および前記筐体内に前記引出部が収容されていることを検知するための検知手段を有する有価媒体処理装置を備えた有価媒体処理システムのコンピュータにより実行することが可能なプログラムを記憶する記録媒体であって、当該プログラムを実行することにより、前記コンピュータが前記有価媒体処理装置を制御して有価媒体処理方法を実行させるものにおいて、前記有価媒体処理方法が、前記筐体内に前記引出部が収容されていることを前記検知手段により検知する工程と、前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する工程と、を備えたことを特徴とする。
【００２０】
本発明の有価媒体処理方法は、筐体から引き出し可能な引出部、前記引出部を前記筐体内でロックするロック機構、および前記筐体内に前記引出部が収容されていることを検知するための検知手段を有する有価媒体処理装置による有価媒体処理方法であって、前記筐体内に前記引出部が収容されていることを前記検知手段により検知する工程と、前記ロック機構による前記引出部のロックを解除する指令を受け付けていない状態で前記検知手段による検知結果に基づいて前記引出部が前記筐体に収容されている収容状態から前記筐体から引き出された引出状態になったと判定されたときに異常に係る情報を出力する工程と、を備えたことを特徴とする。
【００２１】
これらのプログラム、記録媒体および有価媒体処理方法によれば、ロック機構による引出部のロックを解除する指令を受け付けていない状態で検知手段による検知結果に基づいて引出部が収容状態から引出状態になったと判定されたときに異常に係る情報が出力されるため、ロック機構が引出部を不完全にロックしているハーフロック状態を検知するハーフロック状態検知部を設けなくても、ハーフロック状態の引出部が筐体から引き出されると異常に係る情報を出力することができ、よって貨幣処理装置の構造をシンプルなものとすることができる。
【発明の効果】
【００２２】
本発明の有価媒体処理システム、有価媒体処理装置、プログラム、記録媒体および有価媒体処理方法によれば、ロック機構が引出部を不完全にロックしているハーフロック状態を検知するハーフロック状態検知部を設けなくても、ハーフロック状態の引出部が筐体から引き出されると異常に係る情報を出力することができるため、貨幣処理装置の構造をシンプルなものとすることができる。
【図面の簡単な説明】
【００２３】
【図１】本発明の実施の形態による貨幣処理機における紙幣処理装置の外観を示す斜視図である。
【図２】図１に示す紙幣処理装置の内部構成を概略的に示す概略構成図である。
【図３】図１や図２に示す紙幣処理装置において引出ユニットが筐体の内部に収容されているときの状態を概略的に示す側面図である。
【図４】図１や図２に示す紙幣処理装置において引出ユニットを筐体の内部から手前側に引き出したときの状態を概略的に示す側面図である。
【図５】図３等に示す引出ユニットに設けられたロック機構の構成を示す側面図であって、ロック部材がロック位置に位置しているときの状態を示す図である。
【図６】図３等に示す引出ユニットに設けられたロック機構の構成を示す側面図であって、ロック部材がロック解除位置に位置しているときの状態を示す図である。
【図７】図３等に示す引出ユニットに設けられたロック機構の構成を示す側面図であって、引出ユニットがロック機構によりハーフロックされているときの状態を示す図である。
【図８】本発明の実施の形態による貨幣処理機における硬貨処理装置の外観を示す斜視図である。
【図９】本発明の実施の形態による貨幣処理機における制御系の構成を示す機能ブロック図である。
【図１０】本発明の原理が適用される貨幣釣銭機の外観を示す斜視図である。
【図１１】図１０に示す貨幣釣銭機における紙幣処理装置の内部構成を側方から見たときの構成図である。
【図１２】図１１に示す紙幣処理装置において引出ユニットを筐体の内部から手前側に引き出したときの状態を示す側面図である。
【図１３】図１０に示す貨幣釣銭機における硬貨処理装置の内部構成を上方から見たときの構成図である。
【図１４】図１０に示す貨幣釣銭機において包装硬貨収納装置の収納ドロアを筐体から引き出したときの構成を上方から見たときの構成図である。
【図１５】図１０に示す貨幣釣銭機およびＰＯＳレジスタにおける制御系の構成を示す機能ブロック図である。
【図１６】本発明の原理が適用される有価媒体処理装置の外観を示す斜視図である。
【図１７】図１６に示す有価媒体処理装置の内部構成を模式的に示す構成図である。
【図１８】図１６に示す有価媒体処理装置における制御系の構成を示す機能ブロック図である。
【発明を実施するための形態】
【００２４】
以下、図面を参照して本発明の実施の形態について説明する。図１乃至図９は、本実施の形態による貨幣処理システムおよびこのような貨幣処理システムにおける貨幣処理装置の構成等を示す図である。
【００２５】
本実施の形態による貨幣処理装置２は、図１に示すような紙幣処理装置１０および図８に示すような硬貨処理装置１１０が左右に並ぶよう配置されることにより構成されている。ここで、本実施の形態による貨幣処理装置２における紙幣処理装置１０は、バラ紙幣の入金処理や出金処理を行うことができるとともに、機体内で所定枚数（例えば、１００枚）のバラ紙幣から帯封紙幣を形成したりこの形成された帯封紙幣の出金処理を行ったりすることができるようになっている。また、本実施の形態による貨幣処理装置２における硬貨処理装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を形成したりこの形成された包装硬貨の出金処理を行ったりすることができるようになっている。このような貨幣処理装置２は、例えば、銀行等の金融機関（より詳細には、金融機関の事務所スペース）に設置され、金融機関の行員等により利用されるようになっている。また、図９に示すように、貨幣処理装置２には、当該貨幣処理装置２の管理を行う管理装置３が通信可能に接続されている。これらの貨幣処理装置２および管理装置３により、本実施の形態における貨幣処理システム１が構成されている。
【００２６】
まず、本実施の形態による貨幣処理装置２における紙幣処理装置１０の構成について図１乃至図７を用いて説明する。図１および図２に示すように、紙幣処理装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣処理装置１０の前面側（すなわち、図１に示すように紙幣処理装置１０を手前側から見たときの正面側）となっており、図２における右方向が筐体１２の奥行き方向となっている。
【００２７】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００２８】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図９参照）によりそれぞれ駆動されるようになっている。
【００２９】
なお、本実施の形態による紙幣処理装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００３０】
また、図２に示すように、筐体１２の前面におけるバラ紙幣投出部２４の下方には、紙幣処理装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣処理装置１０の本体部分（引出ユニット）を手前側に引き出さない限りこの出金リジェクト部２６にアクセスすることができないようになっている。
【００３１】
図２に示すように、投入部１４には、当該投入部１４に投入されたバラ紙幣を１枚ずつ筐体１２の内部に繰り出すための繰出部１６が設けられている。また、筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３２】
また、図２に示すように、搬送部１８には入金一時保留部３０および複数（図２に示す例では４つ）のバラ紙幣収納部３２がそれぞれ接続されており、搬送部１８からこれらの入金一時保留部３０や各バラ紙幣収納部３２にバラ紙幣が送られるようになっている。これらの入金一時保留部３０や各バラ紙幣収納部３２には図２における上下方向に移動可能となっているステージ３０ａ、３２ａがそれぞれ設けられており、これらのステージ３０ａ、３２ａ上でバラ紙幣が積層状態で集積されるようになっている。
【００３３】
また、入金一時保留部３０の上端部の近傍には紙幣繰出繰入部３０ｂが設けられており、当該入金一時保留部３０に一時的に保留されているバラ紙幣は紙幣繰出繰入部３０ｂより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が各バラ紙幣収納部３２に収納される前に一時的に保留されるようになっている。
【００３４】
また、各バラ紙幣収納部３２の上端部の近傍には紙幣繰出繰入部３２ｂが設けられており、各バラ紙幣収納部３２に収納されているバラ紙幣は紙幣繰出繰入部３２ｂにより１枚ずつ搬送部１８に繰り出されるようになっている。また、紙幣繰出繰入部３２ｂにより搬送部１８から各バラ紙幣収納部３２にバラ紙幣が１枚ずつ繰り入れられるようになっている。ここで、各バラ紙幣収納部３２には、それぞれ予め設定された特定の金種のバラ紙幣が収納されるようになっている。なお、予め設定された特定の金種のバラ紙幣が収納されるバラ紙幣収納部３２が４つ設けられる代わりに、複数のバラ紙幣収納部３２のうち少なくとも１つのバラ紙幣収納部３２に複数の金種のバラ紙幣が混合状態で収納されるようになっていてもよい。
【００３５】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０および各バラ紙幣収納部３２は、筐体１２の内部から手前側に（すなわち、図２における左方向に）引き出し可能となっている引出ユニット１３（図２乃至図４参照）に収容されている。なお、図３は、引出ユニット１３が筐体１２の内部に収容されているときの状態を概略的に示す側面図であり、図４は、引出ユニット１３が筐体１２の内部から手前側に引き出されたときの状態を概略的に示す側面図である。そして、図４に示すように、操作者が下部扉１２ａを開いて引出ユニット１３を筐体１２の内部から手前側に引き出すことにより、当該操作者は各バラ紙幣収納部３２を引出ユニット１３から取り外したり引出ユニット１３に装着したりすることができるようになる。また、筐体１２の内部における引出ユニット１３が収容される収容領域の後端部には検知センサ５９が設けられているとともに、引出ユニット１３の後端部には検知センサ５９により検知される被検知板１３ａが取り付けられている。そして、図３に示すように、引出ユニット１３が筐体１２の内部に収容されているときには検知センサ５９により被検知板１３ａが検知されることによって、後述する制御部３００において筐体１２内に引出ユニット１３が収容されていると判定される。一方、図４に示すように、引出ユニット１３が筐体１２の内部から手前側に引き出されているときには検知センサ５９により被検知板１３ａが検知されない。このことにより、後述する制御部３００において筐体１２内に引出ユニット１３が収容されていないと判定される。
【００３６】
また、本実施の形態による紙幣処理装置１０では、引出ユニット１３を筐体１２の内部にロックするためのロック機構５０が引出ユニット１３に設けられている。このようなロック機構５０の構成の詳細について図５乃至図７を用いて説明する。なお、図５は、ロック機構５０におけるロック部材５２（後述）がロック位置に位置しているときの状態を示す図であり、図６は、ロック部材５２がロック解除位置に位置しているときの状態を示す図である。また、図７は、引出ユニット１３がロック機構５０によりハーフロックされているときの状態を示す図である。
【００３７】
ロック機構５０は、引出ユニット１３に位置固定で設けられた固定部材５１と、固定部材５１に対して軸５２ａを中心として回転自在となっているロック部材５２と、ロック部材５２に取り付けられたリンク板５６とを有しており、ロック部材５２およびリンク板５６は軸５２ａを中心として一体的に回転するようになっている。また、軸５２ａにはねじりバネ（図示せず）が設けられており、当該ねじりバネによりロック部材５２に対して図５乃至図７における時計回りの方向に回転する力が常に付勢されるようになっている。また、ロック部材５２の近傍にはストッパ（図示せず）が設けられており、このようなストッパによりロック部材５２は図５に示すような位置からこれ以上軸５２ａを中心として時計回りの方向に回転しないようになっている。
【００３８】
また、ロック機構５０は、軸５２ａを中心としてリンク板５６を回転させる駆動部としてモータ５４を有しており、当該モータ５４によりロック部材５２およびリンク板５６は軸５２ａを中心として一体的に回転させられるようになっている。具体的には、ロック部材５２およびリンク板５６は図５に示すようなロック位置および図６に示すようなロック解除位置の間で軸５２ａを中心として一体的に回転するようになっている。また、図３乃至図７に示すように、紙幣処理装置１０の筐体１２側にはロック部材５２により引っ掛けられるロックピン５８が設けられている。より詳細には、ロック部材５２は、ロックピン５８を引っ掛けるための突出部分５２ｂおよびこの突出部分５２ｂに引き続く傾斜面５２ｃを有している。ここで、図３に示すように引出ユニット１３が筐体１２の内部に完全に収容されている状態では、ロック部材５２はロック位置に維持されるようになっており、この場合には図５に示すようにロックピン５８がロック部材５２の突出部分５２ｂにより引っ掛けられることにより引出ユニット１３が筐体１２の内部でロックされるようになっている。一方、モータ５４が軸５２ａを中心としてロック部材５２およびリンク板５６を図５における反時計回りの方向に回転させ、図６に示すようにロックピン５８がロック部材５２から外れるようになると、ロック機構５０による引出ユニット１３のロックが解除され、図４に示すように操作者は引出ユニット１３を筐体１２から手前側に引き出すことができるようになる。
【００３９】
そして、引出ユニット１３が筐体１２から手前側に引き出されている状態でモータ５４によりリンク板５６に駆動力が伝達されなくなると、軸５２ａに設けられたねじりバネによりロック部材５２およびリンク板５６が図５に示す位置に戻されるようになる。このような状態で操作者が引出ユニット１３を筐体１２の内部に押し込むと、ロックピン５８にロック部材５２の傾斜面５２ｃが接触したときにねじりバネによる付勢力に抗してロック部材５２が軸５２ａを中心として図５乃至図７における反時計回りの方向に回転することによりロックピン５８がロック部材５２の突出部分５２ｂを乗り越える。その後、ロックピン５８がロック部材５２の突出部分５２ｂに引っ掛けられることにより引出ユニット１３は筐体１２の内部にロックされるようになる。
【００４０】
また、本実施の形態の紙幣処理装置１０では、ロック機構５０により引出ユニット１３が筐体１２の内部に完全にロックされないようなハーフロック状態となる場合がある。具体的には、引出ユニット１３が筐体１２から手前側に引き出されている状態から操作者が引出ユニット１３を筐体１２の内部に押し込んだときに、図７に示すようにロックピン５８がロック部材５２の突出部分５２ｂを完全に乗り越えず、この突出部分５２ｂの頂部近傍でロックピン５８が引っ掛かってしまう場合がある。このような場合には、引出ユニット１３の後端部に設けられている被検知板１３ａが検知センサ５９により検知されることによって、後述する制御部３００において筐体１２内に引出ユニット１３が収容されていると判定されるが、ロックピン５８がロック部材５２の突出部分５２ｂに完全に引っ掛けられていないためこのような状態から操作者が引出ユニット１３を筐体１２から手前側に引き出すことが可能となる。
【００４１】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣処理装置１０では、所定枚数（例えば、１００枚）のバラ紙幣からなる紙幣束に帯封紙を巻くことにより帯封紙幣を形成する帯封部４２が各整理一時保留部４０の隣に設けられている。
【００４２】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。
【００４３】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に帯封紙幣が受け渡された後、ステージ４６ａが図２における上方向に移動することにより帯封紙幣投出部４８と同じ高さレベルに到達すると、ステージ４６ａ上から帯封紙幣投出部４８に帯封紙幣を受け渡すことができるようになる。そして、ステージ４６ａ上から帯封紙幣投出部４８に帯封紙幣が受け渡された後、シャッター４８ａが開くと、操作者は帯封紙幣投出部４８の内部にアクセスしてこの帯封紙幣投出部４８に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００４４】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００４５】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００４６】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４７】
ここで、帯封部４２により形成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが受渡し位置まで下降してこのステージ４６ａ上から帯封紙幣投出部４８に帯封紙幣が受け渡されるようになる。
【００４８】
なお、本実施の形態の紙幣処理装置１０において、筐体１２の内部における下部領域に設けられた引出ユニット１３以外にも引出ユニットが１または複数設けられており、当該引出ユニットを筐体１２の手前側に引き出すことができるようになっていてもよい。また、この場合には、筐体１２の前面には、引出ユニット１３以外の引出ユニットに対応して前扉が設けられるようになり、当該前扉を開くことにより引出ユニット１３以外の引出ユニットを筐体１２の手前側に引き出すことができるようになる。また、引出ユニット１３以外の引出ユニットにもロック機構５０が設けられており、当該ロック機構５０は対応する引出ユニットを筐体１２の内部にロックするようになっている。ここで、引出ユニット１３以外の引出ユニットに設けられたロック機構５０は、引出ユニット１３に設けられたロック機構５０と略同一の構成となっている。
【００４９】
次に、本実施の形態による貨幣処理装置２における硬貨処理装置１１０の構成について図８を用いて簡単に説明する。図８に示すように、硬貨処理装置１１０は、左右に並ぶよう配置されるバラ硬貨処理ユニット１２０および包装硬貨処理ユニット１３０から構成されている。バラ硬貨処理ユニット１２０は、筐体１１２の内部に投入されたバラ硬貨を識別部（図示せず）により識別した後にバラ硬貨収納部（図示せず）に金種毎に収納するようになっている。また、バラ硬貨の出金処理が行われる際には、バラ硬貨収納部に収納されているバラ硬貨が当該バラ硬貨収納部から繰り出されてバラ硬貨投出口から筐体１１２の外部に投出されるようになる。また、バラ硬貨処理ユニット１２０の内部には、所定の枚数（例えば、５０枚）のバラ硬貨を紙やフィルム等の包装媒体により包装する包装部（図示せず）が設けられており、包装部により作成された包装硬貨は包装硬貨処理ユニット１３０の包装硬貨収納部（図示せず）に金種毎に収納されるようになっている。また、包装硬貨の出金処理が行われる際には、包装硬貨収納部に収納されている包装硬貨が当該包装硬貨収納部から繰り出されて包装硬貨投出口から筐体１１２の外部に投出されるようになる。
【００５０】
また、図９に示すように、本実施の形態の貨幣処理装置２には、当該貨幣処理装置２の各構成部材の制御を行うＣＰＵ（中央演算処理ユニット）等の制御部３００が設けられている。より詳細には、制御部３００には、紙幣処理装置１０の繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、各バラ紙幣収納部３２（具体的には、各バラ紙幣収納部３２に設けられたステージ３２ａの駆動機構（図示せず）や紙幣繰出繰入部３２ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、検知センサ５９、各シャッター２４ａ、４８ａを開閉させるシャッター駆動部２４ｂ、４８ｂ等がそれぞれ接続されている。そして、識別部２０によるバラ紙幣の識別結果に係る情報や判別部６２による帯封紙幣の金種の判別結果に係る情報、検知センサ５９による検知結果に係る情報等が制御部３００に送られるとともに、制御部３００は紙幣処理装置１０の各構成部材に指令信号を送ることによりこれらの構成部材の動作を制御するようになっている。
【００５１】
また、図９に示すように、制御部３００には、硬貨処理装置１１０におけるバラ硬貨処理ユニット１２０の各構成部材および包装硬貨処理ユニット１３０の各構成部材がそれぞれ接続されている。そして、制御部３００は、バラ硬貨処理ユニット１２０の各構成部材および包装硬貨処理ユニット１３０の各構成部材に指令の信号を送ることによりこれらの構成部材の動作を制御するようになっている。
【００５２】
また、図９に示すように、制御部３００には、操作表示部３０２、印字部３０４、記憶部３０６、通信インターフェース部３０８および記録媒体読取部３０９がそれぞれ接続されている。図８に示すように、操作表示部３０２は、例えば硬貨処理装置１１０の筐体１１２の上部に設けられたタッチパネル等からなり、紙幣処理装置１０や硬貨処理装置１１０における紙幣や硬貨の処理状況や、紙幣処理装置１０や硬貨処理装置１１０に収納されている紙幣や硬貨の在高等の情報を表示するようになっている。また、操作者はこの操作表示部３０２により制御部３００に様々な指令を入力することができるようになっている。また、図８に示すように、印字部３０４は、紙幣処理装置１０や硬貨処理装置１１０における紙幣や硬貨の処理状況や、紙幣処理装置１０や硬貨処理装置１１０に収納されている紙幣や硬貨の在高等の情報をレシート等に印刷するプリンタ等から構成されている。また、記憶部３０６は、紙幣処理装置１０や硬貨処理装置１１０における紙幣や硬貨の処理履歴や、紙幣処理装置１０や硬貨処理装置１１０に収納されている紙幣や硬貨の在高等の情報を記憶するようになっている。また、本実施の形態では、記憶部３０６には、制御部３００により実行することが可能なプログラム３０７が記憶されている。このような記憶部３０６は、ＲＯＭやＲＡＭなどのメモリー、フラッシュメモリ、ハードディスク、ＣＤ−ＲＯＭ、ＤＶＤ−ＲＯＭなどのディスク状記憶媒体、その他の公知な記憶媒体から構成され得る。そして、制御部３００は、記憶部３０６に記録されているプログラムに沿って、貨幣処理装置２の各構成部材に処理を実行させるようになっている。また、制御部３００は、通信インターフェース部３０８を介して、貨幣処理装置２の管理を行う管理装置３に対して様々な信号の送受信を行うことができるようになっている。
【００５３】
また、貨幣処理装置２において、持ち運び可能な記録媒体（例えば、ＣＤ−ＲＯＭ、ＤＶＤ−ＲＯＭなどのディスク状記憶媒体等）に記録されている情報を読み取る記録媒体読取部３０９が設けられていてもよい。このような記録媒体には、制御部３００により実行することが可能なプログラムが記憶されている。また、記録媒体に記録されているプログラムが記録媒体読取部３０９により読み取られると、制御部３００は、記憶部３０６に記憶されているプログラム３０７の代わりに、記録媒体読取部３０９により持ち運び可能な記録媒体から読み取られたプログラムに基づいて貨幣処理装置２の各構成部材に処理を実行させるようになっていてもよい。
【００５４】
また、図９に示すように、制御部３００は、異常に係る情報を出力する異常情報出力手段３０１を有している。ここで、異常情報出力手段３０１により出力される異常に係る情報は、ハーフロック状態の引出ユニット１３が筐体１２から引き出されたという情報である。このような異常情報出力手段３０１の機能の詳細については後述する。
【００５５】
次に、このような構成からなる貨幣処理装置２の動作について以下に説明する。なお、以下に示すような貨幣処理装置２の動作は、制御部３００が貨幣処理装置２の各構成部材を制御することにより行われるようになっている。
【００５６】
紙幣処理装置１０において紙幣の入金処理や出金処理、精査処理等の処理が行われている間に、例えば搬送部１８やバラ紙幣収納部３２、帯封紙幣収納部７０等において紙幣が詰まる等の異常（エラー）が発生すると、紙幣処理装置１０における紙幣の処理が中断されるとともに、操作表示部３０２には異常の解除操作方法が各工程に対応して順に表示される。また、引出ユニット１３の内部（例えば、入金一時保留部３０やバラ紙幣収納部３２等）で紙幣の詰まり等の異常が発生した場合には、ロック機構５０による引出ユニット１３のロックを解除する指令が管理装置３から貨幣処理装置２に送信される。そして、ロック機構５０による引出ユニット１３のロックを解除する指令が制御部３００に与えられると、ロック機構５０による引出ユニット１３のロックが解除される。より詳細には、ロック機構５０においてモータ５４が軸５２ａを中心としてロック部材５２およびリンク板５６を図５における反時計回りの方向に回転させ、図６に示すようにロックピン５８がロック部材５２から外れるようになる。このことにより、ロック機構５０による引出ユニット１３のロックが解除され、操作者は引出ユニット１３を筐体１２から手前側に引き出すことができるようになる。
【００５７】
その後、操作者が引出ユニット１３を筐体１２から手前側に引き出すと、検知センサ５９により引出ユニット１３の被検知板１３ａが検知されなくなる。そして、詰まりの原因となる紙幣が操作者によって引出ユニット１３から取り除かれ、異常が解消されると、ロック機構５０においてロック部材５２がロック位置に移動させられる。具体的には、ロック機構５０においてモータ５４によりリンク板５６に駆動力が伝達されなくなり、ねじりバネによりロック部材５２およびリンク板５６が図５に示す位置に戻されるようになる。このような状態で操作者が引出ユニット１３を筐体１２の内部に押し込むと、ロックピン５８にロック部材５２の傾斜面５２ｃが接触したときにねじりバネによる付勢力に抗してロック部材５２が軸５２ａを中心として図５における反時計回りの方向に回転することによりロック部材５２の突出部分５２ｂがロックピン５８を乗り越えるようになり、その後にロックピン５８がロック部材５２の突出部分５２ｂに引っ掛けられることにより引出ユニット１３は筐体１２の内部にロックされるようになる。また、引出ユニット１３が筐体１２の内部に収容されると、検知センサ５９により引出ユニット１３の被検知板１３ａが検知される。このようにして操作者により引出ユニット１３が筐体１２の内部に戻され、下部扉１２ａが閉じられると、紙幣処理装置１０においてリセット動作が行われ、紙幣処理装置１０は待機状態に戻ったり、あるいは元の処理の続きが行われたりするようになる。このようにして本実施の形態における異常の解除操作に係る一連の動作が完了する。
【００５８】
なお、操作者が引出ユニット１３を筐体１２の内部に戻す際に、引出ユニット１３を押し込む力が弱い等により、ロック機構５０が引出ユニット１３を不完全にロックするようなハーフロック状態となってしまう場合がある。具体的には、引出ユニット１３が筐体１２から手前側に引き出されている状態から操作者が引出ユニット１３を筐体１２の内部に押し込んだときに、図７に示すようにロックピン５８がロック部材５２の突出部分５２ｂを完全に乗り越えず、この突出部分５２ｂの頂部近傍でロックピン５８が引っ掛かってしまう。このような状態をハーフロック状態という。なお、ハーフロック状態の場合には、引出ユニット１３の後端部に設けられている被検知板１３ａが検知センサ５９により検知されることによって、後述する制御部３００において筐体１２内に引出ユニット１３が収容されていると判定される。しかしながら、ロックピン５８がロック部材５２の突出部分５２ｂに完全に引っ掛けられていないためこのような状態から操作者が引出ユニット１３を筐体１２から手前側に引き出すことが可能となる。
【００５９】
ここで、操作者が引出ユニット１３を筐体１２の内部に戻す際に、ロック機構５０が引出ユニット１３を不完全にロックするようなハーフロック状態となってしまうと、この操作者が貨幣処理装置２から離れた後に別の第三者により引出ユニット１３が筐体１２から引き出されることにより各バラ紙幣収納部３２に収納されているバラ紙幣がこの第三者によって持ち去られてしまうおそれがある。このため、ハーフロック状態の引出ユニット１３が筐体１２から引き出された場合にはこのことを報知する必要がある。
【００６０】
この点について、本実施の形態の貨幣処理装置２では、ロック機構５０による引出ユニット１３のロックを解除する指令が管理装置３から貨幣処理装置２に送信されず、ロック機構５０による引出ユニット１３のロックを解除する指令を制御部３００が受け付けていない状態で、検知センサ５９による検知結果に基づいて引出ユニット１３が筐体１２に収容されている収容状態から筐体１２から引き出された引出状態になったと判定されたときに、異常情報出力手段３０１によって異常に係る情報（具体的には、ハーフロック状態の引出ユニット１３が筐体１２から引き出されたという情報）が出力されるようになっている。また、異常情報出力手段３０１により出力された異常に係る情報は操作表示部３０２に表示されるようになっており、このような操作表示部３０２による表示によってハーフロック状態の引出ユニット１３が筐体１２から引き出されたという情報が報知されるようになっている。このことにより、操作者が引出ユニット１３を筐体１２の内部に戻す際に、引出ユニット１３を押し込む力が弱い等により、ロック機構５０が引出ユニット１３を不完全にロックするようなハーフロック状態となってしまった場合でも、ハーフロック状態の引出ユニット１３が筐体１２から引き出されると、この情報を操作表示部３０２によって報知することができるようになる。
【００６１】
また、本実施の形態の貨幣処理装置２では、異常情報出力手段３０１により出力された異常に係る情報（具体的には、ハーフロック状態の引出ユニット１３が筐体１２から引き出されたという情報）が制御部３００から通信インターフェース部３０８により管理装置３に送信されるようになっていてもよい。この場合には、管理装置３において、ハーフロック状態の引出ユニット１３が筐体１２から引き出されたという情報を把握することができるようになる。また、異常情報出力手段３０１により異常に係る情報が出力されると、紙幣処理装置１０において紙幣の処理を行うことができなくなるようにしてもよい。さらに、紙幣処理装置１０において紙幣の処理が行われている最中に異常情報出力手段３０１により異常に係る情報が出力されると、紙幣処理装置１０における紙幣の処理が停止されるようになっていてもよい。これらの技術的事項によれば、ハーフロック状態の引出ユニット１３が筐体１２から引き出された場合に紙幣処理装置１０において紙幣の余分な処理が行われてしまうことを抑制することができるようになる。また、紙幣処理装置１０における紙幣の処理が停止されると、停止された紙幣の処理に係る情報が制御部３００から通信インターフェース部３０８により管理装置３に送信されるようになっていてもよい。
【００６２】
以上のような構成からなる本実施の形態の貨幣処理システム１によれば、ロック機構５０による引出ユニット１３のロックを解除する指令が管理装置３から貨幣処理装置２に与えられていない状態で検知センサ５９による検知結果に基づいて引出ユニット１３が筐体１２に収容されている収容状態から筐体１２から引き出された引出状態になったと判定されたときに、異常情報出力手段３０１により異常に係る情報が出力されるようになっている。また、本実施の形態の貨幣処理装置２によれば、ロック機構５０による引出ユニット１３のロックを解除する指令を受け付けていない状態で検知センサ５９による検知結果に基づいて引出ユニット１３が筐体１２に収容されている収容状態から筐体１２から引き出された引出状態になったと判定されたときに、異常情報出力手段３０１により異常に係る情報が出力されるようになっている。これらの技術的事項によれば、ロック機構５０が引出ユニット１３を不完全にロックしているハーフロック状態を検知するハーフロック状態検知部を設けなくても、ハーフロック状態の引出ユニット１３が筐体１２から引き出されると異常に係る情報を出力することができるため、貨幣処理装置２（具体的には、紙幣処理装置１０）の構造をシンプルなものとすることができる。
【００６３】
より詳細に説明すると、従来の貨幣処理装置では、引出ユニットが筐体から引き出されたか否かを検知するインターロックスイッチ（図３等における検知センサ５９に対応）とは別に、ロック機構が引出ユニットを不完全にロックしているハーフロック状態を検知するためにロック機構の近傍にフォトインタラプタを設けたりロック機構と一体に遮蔽板を形成したりする必要があった。しかしながら、このようなフォトインタラプタや遮蔽板を設けると貨幣処理装置の内部構造が複雑になってしまうという問題があった。これに対し、本実施の形態の貨幣処理システム１や貨幣処理装置２によれば、ロック機構５０による引出ユニット１３のロックを解除する指令が管理装置３から貨幣処理装置２に与えられていない状態や、ロック機構５０による引出ユニット１３のロックを解除する指令を受け付けていない状態で、引出ユニット１３が筐体１２から引き出されたと判定されたときに異常に係る情報を出力することにより、引出ユニット１３のハーフロック状態を検知するハーフロック状態検知部（例えば、上述した従来の貨幣処理装置におけるフォトインタラプタ等）の設置を省略することができる。
【００６４】
また、本実施の形態による貨幣処理システム１は、上述したような態様に限定されることはなく、様々な変更を加えることができる。
【００６５】
上述した態様では、異常に係る情報を出力する異常情報出力手段３０１が貨幣処理装置２の制御部３００に設けられている例について述べたが、本実施の形態による貨幣処理システムはこのような態様に限定されることはない。他の例として、異常に係る情報を出力する異常情報出力手段が管理装置３に設けられていてもよい。この場合には、異常情報出力手段により出力された異常に係る情報は当該管理装置３のモニタ等に表示されたり、管理装置３から貨幣処理装置２の制御部３００に送信されることによって貨幣処理装置２の操作表示部３０２に表示されたりするようになる。また、更に他の例として、異常に係る情報を出力する異常情報出力手段が貨幣処理システム１における貨幣処理装置２や管理装置３以外の装置に設けられていてもよい。この場合には、異常情報出力手段により出力された異常に係る情報は、貨幣処理装置２や管理装置３以外の装置のモニタ等に表示されたり、当該装置から貨幣処理装置２の制御部３００に送信されることによって貨幣処理装置２の操作表示部３０２に表示されたりするようになる。
【００６６】
また、上記の説明では、異常情報出力手段３０１により出力された異常に係る情報を操作表示部３０２に表示させることにより当該情報を操作者に報知するような態様について述べたが、本実施の形態による貨幣処理システムはこのような態様に限定されることはない。他の例として、異常情報出力手段３０１により出力された異常に係る情報が音声等の表示以外の方法により操作者に報知されるようになっていてもよい。
【００６７】
また、本実施の形態による貨幣処理装置２の硬貨処理装置１１０において、筐体１１２から引き出し可能な引出ユニット（図示せず）が設けられるとともに、引出ユニットを筐体１１２内でロックするロック機構（図示せず）が設けられてもよい。ここで、硬貨処理装置１１０に設けられるロック機構として、図１等に示す紙幣処理装置１０に設けられたロック機構５０と略同一の構成のものが用いられる。また、このような硬貨処理装置１１０では、筐体１１２内に引出ユニットが収容されていることを検知するための検知手段として、図１等に示す紙幣処理装置１０に設けられた検知センサ５９と略同一の構成の検知センサが用いられる。このような構成の硬貨処理装置１１０を備えた貨幣処理装置２では、硬貨処理装置１１０のロック機構による引出ユニットのロックを解除する指令が管理装置３から貨幣処理装置２に与えられていない状態で、硬貨処理装置１１０において検知センサによる検知結果に基づいて引出ユニットが筐体１１２に収容されている収容状態から筐体１１２から引き出された引出状態になったと判定されたときに、異常情報出力手段３０１により異常に係る情報が出力される。また、このような構成の硬貨処理装置１１０を備えた貨幣処理装置２では、硬貨処理装置１１０のロック機構による引出ユニットのロックを解除する指令を受け付けていない状態で検知センサによる検知結果に基づいて引出ユニットが筐体１１２に収容されている収容状態から筐体１１２から引き出された引出状態になったと判定されたときに、異常情報出力手段３０１により異常に係る情報が出力される。これらの技術的事項によれば、硬貨処理装置１１０においてロック機構が引出ユニットを不完全にロックしているハーフロック状態を検知するハーフロック状態検知部を設けなくても、ハーフロック状態の引出ユニットが筐体１１２から引き出されると異常に係る情報を出力することができるため、貨幣処理装置２（具体的には、硬貨処理装置１１０）の構造をシンプルなものとすることができる。
【００６８】
また、本実施の形態による貨幣処理システム１において、貨幣処理装置２が管理装置３と通信可能に接続されておらず、貨幣処理装置２が単体で用いられるようになっていてもよい。この場合には、ロック機構５０による引出ユニット１３のロックを解除する指令を操作者が操作表示部３０２によって制御部３００に入力することにより、ロック機構５０による引出ユニット１３のロックが解除される。ここで、単体で用いられる貨幣処理装置２において、ロック機構５０による引出ユニット１３のロックを解除する指令を受け付けていない状態で検知センサ５９による検知結果に基づいて引出ユニット１３が筐体１２に収容されている収容状態から筐体１２から引き出された引出状態になったと判定されたときに、異常情報出力手段３０１により異常に係る情報が出力されるようになっている。このように、貨幣処理装置２が単体で用いられる場合でも、ロック機構５０が引出ユニット１３を不完全にロックしているハーフロック状態を検知するハーフロック状態検知部を設けなくても、ハーフロック状態の引出ユニット１３が筐体１２から引き出されると異常に係る情報を出力することができるため、貨幣処理装置２の構造をシンプルなものとすることができる。
【００６９】
なお、本発明に係る有価媒体処理システムや有価媒体処理装置は、紙幣や硬貨からなる貨幣の処理を行う貨幣処理システム１や貨幣処理装置２に限定されることはない。本発明に係る有価媒体処理システムや有価媒体処理装置として、紙幣や硬貨以外の有価媒体（例えば、小切手や商品券等）の処理を行うものが用いられてもよい。
【００７０】
また、コンビニエンスストアやスーパーマーケット等の商業施設の店舗における顧客が立ち入ることができるフロント領域の精算所に設けられた貨幣釣銭機に、本発明の原理を適用することができるようになっている。このような本発明の原理が適用される貨幣釣銭機について図１０乃至図１５を用いて説明する。なお、図１０は、本発明の原理が適用される貨幣釣銭機の外観を示す斜視図であり、図１１は、図１０に示す貨幣釣銭機における紙幣処理装置の内部構成を側方から見たときの構成図であり、図１２は、図１０に示す紙幣処理装置において引出ユニットを筐体の内部から手前側に引き出したときの状態を示す側面図である。また、図１３は、図１０に示す貨幣釣銭機における硬貨処理装置の内部構成を上方から見たときの構成図であり、図１４は、図１０に示す貨幣釣銭機において包装硬貨収納装置の収納ドロアを筐体から引き出したときの構成を上方から見たときの構成図である。また、図１５は、図１０に示す貨幣釣銭機およびＰＯＳレジスタにおける制御系の構成を示す機能ブロック図である。
【００７１】
図１０等に示すように、本発明の原理が適用される貨幣釣銭機５００は、上下に並ぶよう配置された硬貨処理装置５５０および包装硬貨収納装置５８０と、これらの硬貨処理装置５５０や包装硬貨収納装置５８０の隣に並ぶよう配置された紙幣処理装置５１０とを備えており、紙幣処理装置５１０や硬貨処理装置５５０の上方にはＰＯＳレジスタ５９０が載置されるようになっている。紙幣処理装置５１０および硬貨処理装置５５０は、それぞれ、それぞれ硬貨や紙幣の処理処理を行うようになっている。また、包装硬貨収納装置５８０は、各金種の包装硬貨を取り出し可能に収納するようになっている。また、ＰＯＳレジスタ５９０は、貨幣釣銭機５００の管理を行う管理装置として用いられるようになっている。
【００７２】
まず、紙幣処理装置５１０の構成について図１０および図１１を用いて具体的に説明する。図１０および図１１に示すように、紙幣処理装置５１０は、略直方体形状の筐体５１２と、筐体５１２の前面側に設けられた紙幣受入部５２０と、筐体５１２の前面側において紙幣受入部５２０の下方に設けられた紙幣払出部５２２と、筐体５１２の内部で紙幣を１枚ずつ搬送する搬送部５３０と、筐体５１２の内部で紙幣を収納するとともに収納されている紙幣を繰出可能な複数の紙幣収納部５３４、５３６、５３８とを備えている。なお、図１１において、筐体５１２の右側の側面が紙幣処理装置５１０の手前側の面となっており、図１１における左向きの方向が紙幣処理装置５１０の奥行き方向となっている。図１１に示すように、搬送部５３０は、筐体５１２の中央位置に配置された周回搬送部５３０ａおよび複数の接続搬送部５３０ｂから構成されている。また、紙幣受入部５２０、紙幣払出部５２２、出金リジェクト部５２４、収納カセット５２８を着脱自在に装着可能なカセット装着部５２６および３つの紙幣収納部５３４、５３６、５３８が、それぞれ、周回搬送部５３０ａを取り囲むよう配置されている。また、図１１に示すように、複数の接続搬送部５３０ｂの各々により、紙幣受入部５２０、紙幣払出部５２２、出金リジェクト部５２４、カセット装着部５２６および３つの紙幣収納部５３４、５３６、５３８の各々と、周回搬送部５３０ａとの間をそれぞれ接続するようになっている。また、周回搬送部５３０ａには識別部５３２が設けられており、この識別部５３２は、周回搬送部５３０ａにより搬送される紙幣の金種、真偽、正損、表裏、搬送状態等の識別を行うようになっている。
【００７３】
周回搬送部５３０ａは、図１１における時計回りの方向および反時計回りの方向の両方向に紙幣を１枚ずつ搬送することができるようになっている。また、搬送部５３０において、周回搬送部５３０ａと各接続搬送部５３０ｂとの間で紙幣の搬送経路を切り換える経路切換部（図示せず）が、周回搬送部５３０ａに沿って配置されている。
【００７４】
図１０および図１１に示すように、筐体５１２の前面には、紙幣受入部５２０の紙幣受入口５２０ａと、紙幣払出部５２２の紙幣取出口５２２ａとがそれぞれ設けられている。また、カセット装着部５２６の前面側には扉５２６ａが設けられており、この扉５２６ａを開くことにより収納カセット５２８をカセット装着部５２６に装着させたりこのカセット装着部５２６から収納カセット５２８を取り出したりすることができるようになっている。
【００７５】
紙幣受入部５２０には紙幣繰出機構５２１が設けられており、紙幣受入口５２０ａに１枚あるいは複数枚の紙幣が投入されたことが検知されると紙幣繰出機構５２１が駆動されることにより紙幣が接続搬送部５３０ｂを介して周回搬送部５３０ａ側へ１枚ずつ繰り出されるようになっている。
【００７６】
紙幣払出部５２２は、各紙幣収納部５３４、５３６、５３８から周回搬送部５３０ａに繰り出された紙幣を紙幣取出口５２２ａにより筐体５１２の外部へ放出するようになっている。
【００７７】
出金リジェクト部５２４は、出金処理時において各紙幣収納部５３４、５３６、５３８から繰り出された紙幣のうち、重送や斜行等の搬送異常により識別部５３２で識別することができない紙幣を出金リジェクト紙幣として収納するようになっている。また、紙幣受入部５２０から筐体５１２の内部に取り込まれた紙幣のうち、入金処理時において汚損等により識別部５３２で識別することができない紙幣は入金リジェクト紙幣として紙幣払出部５２２に返却されるようになっている。
【００７８】
各紙幣収納部５３４、５３６、５３８は、識別部５３２の識別結果に基づいて紙幣を金種別に収納するようになっている。これらの紙幣収納部５３４、５３６、５３８には、紙幣処理装置５１０に入金された売上金としての紙幣や釣銭として出金されるべき紙幣が収納されるようになっている。具体的には、例えば紙幣収納部５３４には千円札が収納され、紙幣収納部５３６には二千円札および五千円札が混合状態で収納され、紙幣収納部５３８には一万円札が収納されるようになっている。また、各紙幣収納部５３４、５３６、５３８にはそれぞれ紙幣繰出機構５３５、５３７、５３９が設けられており、これらの紙幣収納部５３４、５３６、５３８に収納されている紙幣は各紙幣繰出機構５３５、５３７、５３９により接続搬送部５３０ｂを介して周回搬送部５３０ａ側へ１枚ずつ繰り出されるようになっている。
【００７９】
また、図１２に示すように、図１０に示す貨幣釣銭機５００の紙幣処理装置５１０には、筐体５１２の内部から手前側に引き出すことができる引出ユニット５１３が設けられており、このような引出ユニット５１３に上述した紙幣受入部５２０、紙幣払出部５２２、出金リジェクト部５２４、カセット装着部５２６、搬送部５３０、各紙幣収納部５３４、５３６、５３８等が設けられている。また、筐体５１２の内部における引出ユニット５１３が収容される収容領域の後端部には検知センサ５３１（図１５参照）が設けられているとともに、引出ユニット５１３の後端部には検知センサ５３１により検知される被検知板（図示せず）が取り付けられている。そして、引出ユニット５１３が筐体５１２の内部に収容されているときには検知センサ５３１により被検知板が検知されることによって、後述する紙幣制御部５１０ａにおいて筐体５１２内に引出ユニット５１３が収容されていると判定される。一方、引出ユニット５１３が筐体５１２の内部から手前側に引き出されているときには検知センサ５３１により被検知板が検知されない。このことにより、後述する紙幣制御部５１０ａにおいて筐体５１２内に引出ユニット５１３が収容されていないと判定される。また、引出ユニット５１３には、当該引出ユニット５１３を筐体５１２の内部にロックするためのロック機構５２９（図１５参照）が設けられている。このようなロック機構５２９は、図１等に示す紙幣処理装置１０に設けられたロック機構５０と略同一の構成となっている。
【００８０】
次に、硬貨処理装置５５０の構成について説明する。図１０および図１３に示すように、硬貨処理装置５５０は、略直方体形状の筐体５５１と、筐体５５１の前面側に設けられた硬貨受入部５５２と、筐体５５１の前面側において硬貨受入部５５２の下方に設けられた硬貨払出部５６６と、筐体５５１の内部で硬貨を収納するとともに収納されている硬貨を繰出可能な複数の収納繰出部５６０とを備えている。
【００８１】
硬貨受入部５５２は、硬貨投入口を介して受け入れた硬貨を１層１列状態で１枚ずつ筐体５５１内に取り込むようになっている。より詳細には、硬貨受入部５５２には繰出ベルト等からなる硬貨繰出機構５５３（図１５参照）が設けられており、硬貨受入部５５２に受け入れられた硬貨を検知するとこの硬貨繰出機構５５３が駆動されることにより当該硬貨繰出機構５５３によって硬貨が筐体５５１の内部に１枚ずつ繰り出されるようになっている。また、図１３に示すように、硬貨受入部５５２には、当該硬貨受入部５５２により筐体５５１の内部に繰り出された硬貨を搬送する入金搬送部５５４が接続されている。
【００８２】
図１３に示すように、入金搬送部５５４の途中には、硬貨の金種、真偽、正損、表裏、搬送状態等の識別を行う識別部５５６と、分岐部５５８とがそれぞれ設けられている。分岐部５５８は、識別部５５６による硬貨の識別結果に基づいて、リジェクト硬貨等の、硬貨払出部５６６から払い出されるべき硬貨を入金搬送部５５４から分岐させて出金搬送部５６２へ案内するようになっている。
【００８３】
一方、正常硬貨等の筐体５５１内に収納されるべき硬貨は入金搬送部５５４により各収納繰出部５６０へ搬送されるようになっている。収納繰出部５６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部５６０が設けられており、入金搬送部５５４の上流側（すなわち、図１３における下側）から低額順に各収納繰出部５６０に硬貨が金種毎に収納されるようになっている。また、収納繰出部５６０には、当該収納繰出部５６０に収納された硬貨を１枚ずつ出金搬送部５６２に繰り出す硬貨繰出機構（図示せず）が設けられている。
【００８４】
出金搬送部５６２は、収納繰出部５６０から繰り出された硬貨を硬貨払出部５６６へ搬送するようになっている。また、出金搬送部５６２は、分岐部５５８により入金搬送部５５４から分岐させられたリジェクト硬貨等を硬貨払出部５６６へ搬送するようになっている。
【００８５】
また、図１０に示す貨幣釣銭機５００の硬貨処理装置５５０には、筐体５５１の内部から手前側に引き出すことができる引出ユニット（図示せず）が設けられており、このような引出ユニットに上述した硬貨受入部５５２、入金搬送部５５４、各収納繰出部５６０、出金搬送部５６２、硬貨払出部５６６等が設けられている。また、筐体５５１の内部における引出ユニットが収容される収容領域の後端部には検知センサ５６９（図１５参照）が設けられているとともに、引出ユニットの後端部には検知センサ５６９により検知される被検知板（図示せず）が取り付けられている。そして、引出ユニットが筐体５５１の内部に収容されているときには検知センサ５６９により被検知板が検知されることによって、後述する硬貨制御部５５０ａにおいて筐体５５１内に引出ユニットが収容されていると判定される。一方、引出ユニットが筐体５５１の内部から手前側に引き出されているときには検知センサ５６９により被検知板が検知されない。このことにより、後述する硬貨制御部５５０ａにおいて筐体５５１内に引出ユニットが収容されていないと判定される。また、引出ユニットには、当該引出ユニットを筐体５５１の内部にロックするためのロック機構５７０（図１５参照）が設けられている。このようなロック機構５７０は、図１等に示す紙幣処理装置１０に設けられたロック機構５０と略同一の構成となっている。
【００８６】
次に、包装硬貨収納装置５８０の構成について具体的に説明する。図１０および図１４に示すように、包装硬貨収納装置５８０は、手前側の側面が開口している略直方体形状の筐体５８１と、筐体５８１内に収容可能となっているとともに当該筐体５８１から手前側に引き出し可能な収納ドロア５８２とを備えており、収納ドロア５８２には各金種の包装硬貨が例えば２列で収納されるようになっている（図１４において、収納ドロア５８２に収納された各金種の包装硬貨を斜線で示している）。ここで、収納ドロア５８２には、包装硬貨を１本ずつ収納する収納部（ポケット）が複数個形成されており、各収納部に収納される包装硬貨の金種が予め設定されている。具体的には、図１４において参照符号Ａで示す領域には８本の１００円の包装硬貨が収納可能となっており、参照符号Ｂで示す領域には１本の５００円の包装硬貨が収納可能となっており、参照符号Ｃで示す領域には１本の５０円の包装硬貨が収納可能となっている。また、図１４において参照符号Ｄで示す領域には６本の１０円の包装硬貨が収納可能となっており、参照符号Ｅで示す領域には４本の１円の包装硬貨が収納可能となっており、参照符号Ｆで示す領域には１本の５円の包装硬貨が収納可能となっている。
【００８７】
また、筐体５８１の内部における収納ドロア５８２が収容される収容領域の後端部には検知センサ５８７（図１５参照）が設けられているとともに、収納ドロア５８２の後端部には検知センサ５８７により検知される被検知板（図示せず）が取り付けられている。そして、収納ドロア５８２が筐体５８１の内部に収容されているときには検知センサ５８７により被検知板が検知されることによって、後述する包装硬貨制御部５８０ａにおいて筐体５８１内に収納ドロア５８２が収容されていると判定される。一方、収納ドロア５８２が筐体５８１の内部から手前側に引き出されているときには検知センサ５８７により被検知板が検知されない。このことにより、後述する包装硬貨制御部５８０ａにおいて筐体５８１内に収納ドロア５８２が収容されていないと判定される。また、図１５に示すように、包装硬貨収納装置５８０の筐体５８１の内部には、収納ドロア５８２が筐体５８１に完全に収容されたときに当該収納ドロア５８２を筐体５８１内にロックするためのロック機構５８６が設けられている。ここで、ロック機構５８６が収納ドロア５８２を筐体５８１の内部にロックしたときには、この収納ドロア５８２を筐体５８１から手前側に引き出すことができなくなり、よって収納ドロア５８２から包装硬貨を取り出すことができなくなる。
【００８８】
また、包装硬貨収納装置５８０の筐体５８１における前面開口の近傍には、収納ドロア５８２が筐体５８１から手前側に引き出されたり筐体５８１の内部に戻されたりする際に当該収納ドロア５８２に収納されている包装硬貨の金種毎の本数を検知する検知手段５８４が設けられている。具体的には、図１４等に示すように、検知手段５８４は包装硬貨の中心孔の有無を検知するための光センサ５８４ａ、包装硬貨の直径を検知するための光センサ５８４ｂおよび筐体５８１からの収納ドロア５８２の引き出し量を検知するロータリエンコーダ５８４ｃを有している。ここで、各光センサ５８４ａは発光素子および受光素子を有しており、発光素子から発せられた光は、包装硬貨収納装置５８０の幅方向（図１４における左右方向）に延びる光軸を通って受光素子に送られるようになっている。そして、収納ドロア５８２が筐体５８１から手前側に引き出されたり筐体５８１の内部に戻されたりする際に、収納ドロア５８２の各収納部に収納されている包装硬貨の中心孔の有無が光センサ５８４ａにより検知されるようになる。また、各光センサ５８４ｂも発光素子および受光素子を有しており、発光素子から発せられた光は、鉛直方向（図１４の紙面に直交する方向）に延びる光軸を通って受光素子に送られるようになっている。そして、収納ドロア５８２が筐体５８１から手前側に引き出されたり筐体５８１の内部に戻されたりする際に、収納ドロア５８２の各収納部に収納されている包装硬貨の直径の大きさが光センサ５８４ｂにより検知されるようになる。前述したように、収納ドロア５８２において、各々の収納部に収納される包装硬貨の金種が予め設定されているため、光センサ５８４ａおよび光センサ５８４ｂにより検知された包装硬貨の中心孔の有無や直径の大きさ、ならびにロータリエンコーダ５８４ｃにより検知された筐体５８１からの収納ドロア５８２の引き出し量に基づいて、収納ドロア５８２に収納された包装硬貨の金種毎の本数、および各包装硬貨が収納ドロア５８２内の所定の位置に正しく収納されているか否か等が検知されるようになっている。
【００８９】
なお、本実施の形態による包装硬貨収納装置５８０は上記の構成のものに限定されることはない。他の構成の包装硬貨収納装置５８０において、収納ドロア５８２に収納されている包装硬貨の金種毎の本数を検知する検知手段５８４として、収納ドロア５８２の収納部に収納される包装硬貨の有無および金種（材質）を検出するセンサを全ての収納部に配置するような方式のものが用いられてもよい。
【００９０】
次に、ＰＯＳレジスタ５９０の構成について具体的に説明する。図１０および図１５に示すように、ＰＯＳレジスタ５９０は、ＰＯＳ制御部５９１と、ＰＯＳ制御部５９１にそれぞれ接続されたモニタ等の表示部５９３および操作キー等の操作部５９４とを備えている。操作部５９４は、操作者が操作することができるようになっており、ＰＯＳ制御部５９１に対して様々な指令を与えることができるようになっている。また、表示部５９３は、紙幣処理装置５１０や硬貨処理装置５５０における紙幣や硬貨の処理状況や、紙幣処理装置５１０や硬貨処理装置５５０に収納されている紙幣や硬貨の在高等の情報を表示するようになっている。また、ＰＯＳレジスタ５９０には顧客が視認可能な追加の表示部５９３ａが設けられており、様々な情報を表示部５９３に表示させる代わりに、あるいは表示部５９３における表示に加えて、追加の表示部５９３ａにおいて表示が行われるようになっていてもよい。また、ＰＯＳレジスタ５９０にはカードリーダ５９６および印字部５９７が設けられている（図１５参照、図１０では図示せず）。カードリーダ５９６は、店員等の操作者が携帯するＩＤカードを読み取ることにより当該操作者のＩＤや権限等に関する情報を取得するようになっている。また、印字部５９７は例えばプリンタから構成され、売上レシートや集計レシートに加えて、紙幣処理装置５１０や硬貨処理装置５５０に収納されている紙幣や硬貨の在高等の情報をレシートに印字するようになっている。
【００９１】
次に、このような貨幣釣銭機５００における制御系の構成について図１５を用いて説明する。図１５に示すように、硬貨処理装置５５０は、ＣＰＵ（中央演算処理ユニット）等の上位制御部５０２および硬貨制御部５５０ａを有しており、これらの上位制御部５０２および硬貨制御部５５０ａは互いに接続されている。また、紙幣処理装置５１０はＣＰＵ等の紙幣制御部５１０ａを有しており、この紙幣制御部５１０ａは硬貨処理装置５５０の上位制御部５０２に接続されている。また、包装硬貨収納装置５８０はＣＰＵ等の包装硬貨制御部５８０ａを有しており、この包装硬貨制御部５８０ａは硬貨処理装置５５０の上位制御部５０２に接続されている。また、ＰＯＳレジスタ５９０に設けられたＣＰＵ等のＰＯＳ制御部５９１も硬貨処理装置５５０の上位制御部５０２に接続されている。また、図示していないが、ＰＯＳレジスタ５９０のＰＯＳ制御部５９１は店舗サーバ等の上位端末と通信可能に接続されている。
【００９２】
図１５に示すように、硬貨処理装置５５０の上位制御部５０２には、紙幣処理装置５１０、包装硬貨収納装置５８０およびＰＯＳレジスタ５９０の各々と通信を行うための通信部５０３、操作表示部５０４、記憶部５０６がそれぞれ接続されている。この上位制御部５０２は、通信部５０３により、紙幣処理装置５１０の紙幣制御部５１０ａ、包装硬貨収納装置５８０の包装硬貨制御部５８０ａおよびＰＯＳレジスタ５９０のＰＯＳ制御部５９１に対して信号の送受信を行うようになっている。また、操作表示部５０４は硬貨処理装置５５０の筐体５５１の上面に設けられたタッチパネル等からなり、操作者が操作するための操作画面や、紙幣処理装置５１０、硬貨処理装置５５０および包装硬貨収納装置５８０の各々に収納されている貨幣の在高に係る情報が操作表示部５０４に表示されるようになっている。このような操作表示部５０４において操作者は操作画面における操作ボタンに指を触れることによって上位制御部５０２に様々な指令を入力することができるようになっている。記憶部５０６には、紙幣処理装置５１０、硬貨処理装置５５０および包装硬貨収納装置５８０の各々に収納されている貨幣の在高に係る情報や、貨幣釣銭機５００における貨幣の処理履歴等の様々な情報が記憶されるようになっている。また、記憶部５０６には、上位制御部５０２により実行することが可能なプログラムが記憶されている。このような記憶部５０６は、ＲＯＭやＲＡＭなどのメモリー、フラッシュメモリ、ハードディスク、ＣＤ−ＲＯＭ、ＤＶＤ−ＲＯＭなどのディスク状記憶媒体、その他の公知な記憶媒体から構成され得る。そして、上位制御部５０２は、記憶部５０６に記録されているプログラムに沿って、紙幣処理装置５１０、硬貨処理装置５５０および包装硬貨収納装置５８０の各構成部材に処理を実行させるようになっている。
【００９３】
また、上位制御部５０２には異常情報出力手段５０８が接続されている。異常情報出力手段５０８は、ハーフロック状態の紙幣処理装置５１０の引出ユニット５１３や硬貨処理装置５５０の引出ユニット、包装硬貨収納装置５８０の収納ドロア５８２が筐体５１２、５５１、５８１から引き出されたときに異常に係る情報を出力するようになっている。このような異常情報出力手段５０８の機能の詳細については後述する。
【００９４】
また、紙幣処理装置５１０の紙幣制御部５１０ａには、通信部５４０、紙幣繰出機構５２１、搬送部５３０、識別部５３２、紙幣繰出機構５３５、５３７、５３９、カセット装着部５２６、ロック機構５２９、検知センサ５３１等が接続されており、識別部５３２による紙幣の識別情報や検知センサ５３１による検知情報が紙幣制御部５１０ａに送られるとともに、紙幣制御部５１０ａは紙幣処理装置５１０の各構成部材に指令信号を送ることによりこれらの構成部材の制御を行うようになっている。また、紙幣制御部５１０ａは、通信部５４０により、硬貨処理装置５５０の上位制御部５０２に対して信号の送受信を行うようになっている。
【００９５】
また、硬貨処理装置５５０の硬貨制御部５５０ａには、硬貨繰出機構５５３、入金搬送部５５４、識別部５５６、分岐部５５８、各収納繰出部５６０、出金搬送部５６２、検知センサ５６９、ロック機構５７０等が接続されており、識別部５５６による硬貨の識別情報や検知センサ５６９による検知情報が硬貨制御部５５０ａに送られるとともに、硬貨制御部５５０ａは硬貨処理装置５５０の各構成部材に指令信号を送ることによりこれらの構成部材の制御を行うようになっている。
【００９６】
また、包装硬貨収納装置５８０の包装硬貨制御部５８０ａには、通信部５８９、検知手段５８４、ロック機構５８６、検知センサ５８７および記憶部５８８等が接続されており、検知手段５８４による包装硬貨の検知情報や検知センサ５８７による検知情報が包装硬貨制御部５８０ａに送られるとともに、包装硬貨制御部５８０ａはロック機構５８６に指令信号を送ることにより当該ロック機構５８６の制御を行うようになっている。また、包装硬貨制御部５８０ａは、通信部５８９により、硬貨処理装置５５０の上位制御部５０２に対して信号の送受信を行うようになっている。また、包装硬貨収納装置５８０の収納ドロア５８２に収納されている包装硬貨の在高の情報等が記憶部５８８に記憶されるようになっている。
【００９７】
また、ＰＯＳレジスタ５９０のＰＯＳ制御部５９１には、表示部５９３、操作部５９４、記憶部５９５、通信部５９２、カードリーダ５９６、印字部５９７等がそれぞれ通信可能に接続されており、操作者により操作部５９４に入力された指令が当該操作部５９４からＰＯＳ制御部５９１に送られたり、カードリーダ５９６により読み取られた店員等の操作者のＩＤカードに係る情報がＰＯＳ制御部５９１に送られたりするようになっている。また、ＰＯＳ制御部５９１は表示部５９３に指令を送ることにより当該表示部５９３に様々な情報を表示させるようになっている。なお、ＰＯＳ制御部５９１は、表示部５９３に様々な情報を表示させる代わりに、あるいは表示部５９３における表示に加えて、追加の表示部５９３ａにおいて表示を行わせるようになっていてもよい。また、ＰＯＳ制御部５９１は印字部５９７に指令を送ることにより当該印字部５９７により様々な情報をレシート等に印字させるようになっている。また、ＰＯＳレジスタ５９０のＰＯＳ制御部５９１は、通信部５９２により、硬貨処理装置５５０の上位制御部５０２や店舗サーバ等の上位端末（図示せず）に対して信号の送受信を行うようになっている。また、記憶部５９５には、紙幣処理装置５１０や硬貨処理装置５５０等から送信された、紙幣処理装置５１０や硬貨処理装置５５０における硬貨や紙幣の処理状況や、紙幣処理装置５１０や硬貨処理装置５５０、包装硬貨収納装置５８０の内部に収納されている硬貨や紙幣、包装硬貨の在高等の様々な情報が記憶されるようになっている。
【００９８】
次に、このような構成からなる貨幣釣銭機５００の動作について以下に説明する。なお、以下に示すような貨幣釣銭機５００の動作は、各制御部５０２、５１０ａ、５５０ａ、５８０ａが貨幣釣銭機５００の各構成部材を制御することにより行われるようになっている。
【００９９】
紙幣処理装置５１０や硬貨処理装置５５０において紙幣や硬貨の入金処理や出金処理、精査処理等の処理が行われている間に、紙幣や硬貨が搬送部５３０や入金搬送部５５４等で詰まる等の異常（エラー）が発生すると、紙幣処理装置５１０や硬貨処理装置５５０における紙幣や硬貨の処理が中断されるとともに、操作表示部５０４には異常の解除操作方法が各工程に対応して順に表示される。また、紙幣処理装置５１０の引出ユニット５１３や硬貨処理装置５５０の引出ユニットの内部で紙幣や硬貨の詰まり等の異常が発生した場合には、ロック機構５２９による紙幣処理装置５１０の引出ユニット５１３のロックやロック機構５７０による硬貨処理装置５５０の引出ユニットのロックを解除する指令がＰＯＳレジスタ５９０から貨幣釣銭機５００に送信される。そして、ロック機構５２９による紙幣処理装置５１０の引出ユニット５１３のロックやロック機構５７０による硬貨処理装置５５０の引出ユニットのロックを解除する指令が上位制御部５０２に与えられると、紙幣処理装置５１０の引出ユニット５１３のロックや硬貨処理装置５５０の引出ユニットのロックが解除される。このことにより、操作者は紙幣処理装置５１０の引出ユニット５１３を筐体５１２から手前側に引き出したり、硬貨処理装置５５０の引出ユニットを筐体５５１から手前側に引き出したりすることができるようになる。
【０１００】
その後、操作者が紙幣処理装置５１０の引出ユニット５１３を筐体５１２から手前側に引き出したり、硬貨処理装置５５０の引出ユニットを筐体５５１から手前側に引き出したりすると、紙幣処理装置５１０において検知センサ５３１により引出ユニット５１３が検知されなくなったり、硬貨処理装置５５０において検知センサ５６９により引出ユニットが検知されなくなったりする。そして、詰まりの原因となる紙幣や硬貨が操作者によって紙幣処理装置５１０の引出ユニット５１３や硬貨処理装置５５０の引出ユニットから取り除かれ、異常が解消された後、操作者により紙幣処理装置５１０の引出ユニット５１３が筐体５１２の内部に戻されたり硬貨処理装置５５０の引出ユニットが筐体５５１の内部に戻されたりするようになる。ここで、紙幣処理装置５１０の引出ユニット５１３が筐体５１２の内部に収容されると、検知センサ５３１により引出ユニット５１３が検知される。また、硬貨処理装置５５０の引出ユニットが筐体５５１の内部に収容されると、検知センサ５６９により引出ユニットが検知される。その後、紙幣処理装置５１０や硬貨処理装置５５０においてリセット動作が行われ、紙幣処理装置５１０や硬貨処理装置５５０は待機状態に戻ったり、あるいは元の処理の続きが行われたりするようになる。このようにして本実施の形態における異常の解除操作に係る一連の動作が完了する。
【０１０１】
なお、操作者が紙幣処理装置５１０の引出ユニット５１３を筐体５１２の内部に戻したり硬貨処理装置５５０の引出ユニットを筐体５５１の内部に戻したりする際に、紙幣処理装置５１０の引出ユニット５１３や硬貨処理装置５５０の引出ユニットを押し込む力が弱い等により、ロック機構５２９、５７０が紙幣処理装置５１０の引出ユニット５１３や硬貨処理装置５５０の引出ユニットを不完全にロックするようなハーフロック状態となってしまう場合がある。なお、ハーフロック状態の場合でも、検知センサ５３１により紙幣処理装置５１０の引出ユニット５１３が検知されたり、検知センサ５６９により硬貨処理装置５５０の引出ユニットが検知されたりするため、上位制御部５０２において紙幣処理装置５１０の引出ユニット５１３や硬貨処理装置５５０の引出ユニットが筐体５１２、５５１の内部に収容されていると判定される。しかしながら、ハーフロック状態の場合でも、操作者が紙幣処理装置５１０の引出ユニット５１３や硬貨処理装置５５０の引出ユニットを筐体５１２、５５１から手前側に引き出すことが可能となる。
【０１０２】
ここで、操作者が紙幣処理装置５１０の引出ユニット５１３を筐体５１２の内部に戻したり硬貨処理装置５５０の引出ユニットを筐体５５１の内部に戻したりする際に、ロック機構５２９、５７０が紙幣処理装置５１０の引出ユニット５１３や硬貨処理装置５５０の引出ユニットを不完全にロックするようなハーフロック状態となってしまうと、この操作者が貨幣釣銭機５００から離れた後に別の第三者により紙幣処理装置５１０の引出ユニット５１３や硬貨処理装置５５０の引出ユニットが筐体５１２、５５１から引き出されることにより紙幣処理装置５１０や硬貨処理装置５５０に収納されている紙幣や硬貨がこの第三者によって持ち去られてしまうおそれがある。このため、ハーフロック状態となっている紙幣処理装置５１０の引出ユニット５１３や硬貨処理装置５５０の引出ユニットが筐体５１２、５５１から引き出された場合にはこのことを報知する必要がある。
【０１０３】
この点について、本実施の形態の貨幣釣銭機５００では、ロック機構５２９による紙幣処理装置５１０の引出ユニット５１３のロックやロック機構５７０による硬貨処理装置５５０の引出ユニットのロックを解除する指令がＰＯＳレジスタ５９０から貨幣釣銭機５００に送信されず、当該指令を上位制御部５０２が受け付けていない状態で、検知センサ５３１、５６９による検知結果に基づいて紙幣処理装置５１０の引出ユニット５１３や硬貨処理装置５５０の引出ユニットが筐体５１２、５５１に収容されている収容状態から筐体５１２、５５１から引き出された引出状態になったと判定されたときに、異常情報出力手段５０８によって異常に係る情報（具体的には、ハーフロック状態となっている紙幣処理装置５１０の引出ユニット５１３や硬貨処理装置５５０の引出ユニットが筐体５１２、５５１から引き出されたという情報）が出力されるようになっている。また、異常情報出力手段５０８により出力された異常に係る情報は操作表示部５０４に表示されるようになっており、このような操作表示部５０４による表示によってハーフロック状態となっている紙幣処理装置５１０の引出ユニット５１３や硬貨処理装置５５０の引出ユニットが筐体５１２、５５１から引き出されたという情報が報知されるようになっている。このことにより、操作者が紙幣処理装置５１０の引出ユニット５１３を筐体５１２の内部に戻したり硬貨処理装置５５０の引出ユニットを筐体５５１の内部に戻したりする際に、紙幣処理装置５１０の引出ユニット５１３や硬貨処理装置５５０の引出ユニットを押し込む力が弱い等により、ロック機構５２９、５７０が紙幣処理装置５１０の引出ユニット５１３や硬貨処理装置５５０の引出ユニットを不完全にロックするようなハーフロック状態となってしまった場合でも、ハーフロック状態となっている紙幣処理装置５１０の引出ユニット５１３や硬貨処理装置５５０の引出ユニットが筐体５１２、５５１から引き出されると、この情報を操作表示部５０４によって報知することができるようになる。
【０１０４】
また、本実施の形態の貨幣釣銭機５００では、異常情報出力手段５０８により出力された異常に係る情報（具体的には、ハーフロック状態となっている紙幣処理装置５１０の引出ユニット５１３や硬貨処理装置５５０の引出ユニットが筐体５１２、５５１から引き出されたという情報）が上位制御部５０２から通信部５０３により管理装置としてのＰＯＳレジスタ５９０に送信されるようになっていてもよい。この場合には、ＰＯＳレジスタ５９０において、ハーフロック状態となっている紙幣処理装置５１０の引出ユニット５１３や硬貨処理装置５５０の引出ユニットが筐体５１２、５５１から引き出されたという情報を把握することができるようになる。また、異常情報出力手段５０８により異常に係る情報が出力されると、紙幣処理装置５１０や硬貨処理装置５５０において紙幣や硬貨の処理を行うことができなくなるようにしてもよい。さらに、紙幣処理装置５１０や硬貨処理装置５５０において紙幣や硬貨の処理が行われている最中に異常情報出力手段５０８により異常に係る情報が出力されると、紙幣処理装置５１０や硬貨処理装置５５０における紙幣や硬貨の処理が停止されるようになっていてもよい。これらの技術的事項によれば、ハーフロック状態となっている紙幣処理装置５１０の引出ユニット５１３や硬貨処理装置５５０の引出ユニットが筐体５１２、５５１から引き出された場合に紙幣処理装置５１０や硬貨処理装置５５０において紙幣や硬貨の余分な処理が行われてしまうことを抑制することができるようになる。また、紙幣処理装置５１０や硬貨処理装置５５０における紙幣や硬貨の処理が停止されると、停止された紙幣や硬貨の処理に係る情報が上位制御部５０２から通信部５０３によりＰＯＳレジスタ５９０に送信されるようになっていてもよい。
【０１０５】
以上のような構成からなる本実施の形態の貨幣釣銭機５００によれば、ロック機構５２９による紙幣処理装置５１０の引出ユニット５１３のロックやロック機構５７０による硬貨処理装置５５０の引出ユニットのロックを解除する指令がＰＯＳレジスタ５９０から貨幣釣銭機５００に与えられていない状態で、検知センサ５３１、５６９による検知結果に基づいて紙幣処理装置５１０の引出ユニット５１３や硬貨処理装置５５０の引出ユニットが筐体５１２、５５１に収容されている収容状態から筐体５１２、５５１から引き出された引出状態になったと判定されたときに、異常情報出力手段５０８により異常に係る情報が出力されるようになっている。このような技術的事項によれば、ロック機構５２９、５７０が紙幣処理装置５１０の引出ユニット５１３や硬貨処理装置５５０の引出ユニットを不完全にロックしているハーフロック状態を検知するハーフロック状態検知部を設けなくても、ハーフロック状態となっている紙幣処理装置５１０の引出ユニット５１３や硬貨処理装置５５０の引出ユニットが筐体５１２、５５１から引き出されると異常に係る情報を出力することができるため、貨幣釣銭機５００（具体的には、紙幣処理装置５１０や硬貨処理装置５５０）の構造をシンプルなものとすることができる。
【０１０６】
また、本実施の形態による貨幣釣銭機５００は、上述したような態様に限定されることはなく、様々な変更を加えることができる。
【０１０７】
上述した態様では、異常に係る情報を出力する異常情報出力手段５０８が貨幣釣銭機５００の上位制御部５０２に接続されている例について述べたが、本実施の形態による貨幣釣銭機５００はこのような態様に限定されることはない。他の例として、異常に係る情報を出力する異常情報出力手段がＰＯＳレジスタ５９０に設けられていてもよい。この場合には、異常情報出力手段により出力された異常に係る情報は当該ＰＯＳレジスタ５９０の表示部５９３等に表示されたり、ＰＯＳレジスタ５９０から貨幣釣銭機５００の上位制御部５０２に送信されることによって貨幣釣銭機５００の操作表示部５０４に表示されたりするようになる。また、更に他の例として、異常に係る情報を出力する異常情報出力手段が貨幣釣銭機５００やＰＯＳレジスタ５９０以外の装置に設けられていてもよい。この場合には、異常情報出力手段により出力された異常に係る情報は、貨幣釣銭機５００やＰＯＳレジスタ５９０以外の装置のモニタ等に表示されたり、当該装置から貨幣釣銭機５００の上位制御部５０２に送信されることによって貨幣釣銭機５００の操作表示部５０４に表示されたりするようになる。
【０１０８】
また、貨幣釣銭機５００の包装硬貨収納装置５８０においても、ロック機構５８６による収納ドロア５８２のロックを解除する指令がＰＯＳレジスタ５９０から貨幣釣銭機５００に送信されず、当該指令を上位制御部５０２が受け付けていない状態で、検知センサ５８７による検知結果に基づいて収納ドロア５８２が筐体５８１に収容されている収容状態から筐体５８１から引き出された引出状態になったと判定されたときに、異常情報出力手段５０８によって異常に係る情報（具体的には、ハーフロック状態となっている収納ドロア５８２が筐体５８１から引き出されたという情報）が出力されるようになっていてもよい。この場合には、異常情報出力手段５０８により出力された異常に係る情報は操作表示部５０４に表示されるようになっており、このような操作表示部５０４による表示によってハーフロック状態となっている包装硬貨収納装置５８０の収納ドロア５８２が筐体５８１から引き出されたという情報が報知されるようになっている。このことにより、操作者が包装硬貨収納装置５８０の収納ドロア５８２を筐体５８１の内部に戻したりする際に、収納ドロア５８２を押し込む力が弱い等により、ロック機構５８６が収納ドロア５８２を不完全にロックするようなハーフロック状態となってしまった場合でも、ハーフロック状態となっている収納ドロア５８２が筐体５８１から引き出されると、この情報を操作表示部５０４によって報知することができるようになる。この場合には、ロック機構５８６が収納ドロア５８２を不完全にロックしているハーフロック状態を検知するハーフロック状態検知部を設けなくても、ハーフロック状態となっている収納ドロア５８２が筐体５８１から引き出されると異常に係る情報を出力することができるため、包装硬貨収納装置５８０の構造をシンプルなものとすることができる。
【０１０９】
また、本実施の形態では、貨幣釣銭機５００がＰＯＳレジスタ５９０と通信可能に接続されておらず、貨幣釣銭機５００が単体で用いられるようになっていてもよい。この場合には、ロック機構５２９による紙幣処理装置５１０の引出ユニット５１３のロックやロック機構５７０による硬貨処理装置５５０の引出ユニットのロックを解除する指令を操作者が操作表示部５０４によって上位制御部５０２に入力することにより、ロック機構５２９による紙幣処理装置５１０の引出ユニット５１３のロックやロック機構５７０による硬貨処理装置５５０の引出ユニットのロックが解除される。ここで、単体で用いられる貨幣釣銭機５００において、ロック機構５２９による紙幣処理装置５１０の引出ユニット５１３のロックやロック機構５７０による硬貨処理装置５５０の引出ユニットのロックを解除する指令を受け付けていない状態で、検知センサ５３１、５６９による検知結果に基づいて紙幣処理装置５１０の引出ユニット５１３や硬貨処理装置５５０の引出ユニットが筐体５１２、５５１に収容されている収容状態から筐体５１２、５５１から引き出された引出状態になったと判定されたときに、異常情報出力手段５０８により異常に係る情報が出力されるようになっている。このように、貨幣釣銭機５００が単体で用いられる場合でも、ロック機構５２９、５７０が紙幣処理装置５１０の引出ユニット５１３や硬貨処理装置５５０の引出ユニットを不完全にロックしているハーフロック状態を検知するハーフロック状態検知部を設けなくても、ハーフロック状態となっている紙幣処理装置５１０の引出ユニット５１３や硬貨処理装置５５０の引出ユニットが筐体５１２、５５１から引き出されると異常に係る情報を出力することができるため、貨幣釣銭機５００（具体的には、紙幣処理装置５１０や硬貨処理装置５５０）の構造をシンプルなものとすることができる。
【０１１０】
また、コンビニエンスストアやスーパーマーケット等の商業施設の店舗における顧客が立ち入ることができないバックヤード領域の精算所に設けられた出納機としての有価媒体処理装置に、本発明の原理を適用することができるようになっている。このような本発明の原理が適用される有価媒体処理装置について図１６乃至図１８を用いて説明する。なお、図１６は、本発明の原理が適用される有価媒体処理装置の外観を示す斜視図であり、図１７は、図１６に示す有価媒体処理装置における紙葉類処理機構および硬貨処理機構の内部構成を側方から見たときの構成図である。また、図１８は、図１６に示す有価媒体処理装置における制御系の構成を示す機能ブロック図である。
【０１１１】
図１６および図１７に示すように、本実施の形態による有価媒体処理装置７１０は略直方体形状の筐体７１２を有しており、この筐体７１２内には、紙幣や商品券等の紙葉類の処理を行う紙葉類処理機構７２０および硬貨の処理を行う硬貨処理機構７５０がそれぞれ設けられている。また、図１６等に示すように、有価媒体処理装置７１０を正面から見て右側部分には上方から順に紙葉類投入部７２２、リジェクト部７３０、およびスタッカ部７３２（後述）の前面開口を開閉するためのシャッター７３３がそれぞれ配設されている。また、有価媒体処理装置７１０を正面から見て左側部分には硬貨投入部７５２が配設されている。また、有価媒体処理装置７１０の上側部分には例えばタッチパネル等からなる操作表示部７８２が配設されている。また、有価媒体処理装置７１０の前面下部には下部扉７１４が設けられており、この下部扉７１４を開くことにより、筐体７１２内に収容された紙葉類回収カセット７３８、７４０（後述）や硬貨回収カセット７６８、７７０（後述）を筐体７１２の外部に引き出すことができるようになっている。
【０１１２】
次に、このような有価媒体処理装置７１０における紙葉類処理機構７２０および硬貨処理機構７５０の構成の詳細についてそれぞれ図１７を用いて以下に説明する。なお、図１７においては、紙葉類処理機構７２０の構成と硬貨処理機構７５０の構成とを１枚の図面に表示するため、両処理機構が前後に位置するように模式的に示されている。図１７に示すように、紙葉類処理機構７２０において、紙葉類投入部７２２には紙葉類繰出部７２３が設けられており、この紙葉類投入部７２２に積層状態で投入された紙幣や商品券等の紙葉類は紙葉類繰出部７２３により１枚ずつ有価媒体処理装置７１０の筐体７１２内に繰り出されるようになっている。また、紙葉類投入部７２２には紙葉類搬送部７２４が接続されており、紙葉類繰出部７２３により紙葉類投入部７２２から繰り出された紙幣や商品券等の紙葉類は紙葉類搬送部７２４により１枚ずつ搬送されるようになっている。また、紙葉類搬送部７２４には紙葉類識別部７２６が介設されており、紙葉類搬送部７２４により搬送される紙幣や商品券等の紙葉類は紙葉類識別部７２６によりその種類や金種等について識別が行われるようになっている。より詳細には、紙葉類識別部７２６には撮像部としてイメージセンサ７２７が設けられており、このイメージセンサ７２７により紙幣や商品券等の紙葉類の表面が撮像されてその画像データが取得されるようになっている。また、紙葉類識別部７２６は、イメージセンサ７２７により取得された紙幣や商品券の画像データに基づいて、紙幣の記番号や商品券の券番号（以下、これらをまとめて有価媒体の識別番号ともいう）を取得するようになっている。
【０１１３】
また、紙葉類搬送部７２４における紙葉類識別部７２６よりも下流側には消し込み部７２８が設けられている。消し込み部７２８は例えばインクジェットプリンタ等からなり、紙葉類識別部７２６により識別が行われた紙葉類が商品券である場合には、このような商品券の表面に対して消し込み部７２８により「済」印等の所定の内容が印字されるようになっている。このことにより、有価媒体処理装置７１０の筐体７１２内に投入されて紙葉類識別部７２６により識別が行われた商品券について、所定の内容が印字されることにより、操作者はこのような商品券が紙葉類処理機構７２０で処理済のものであることを視認することができるようになる。なお、消し込み部７２８により商品券に印字される内容や位置は任意に設定することができるようになっている。また、商品券の種類に応じて、消し込み部７２８による印字を行うか否かの設定を行うことができるようになっている。
【０１１４】
また、図１７に示すように、紙葉類搬送部７２４にはリジェクト部７３０が接続されており、紙葉類識別部７２６により識別された紙葉類のうち、正常な紙幣ではないと識別された紙幣や予め設定された所定の種類のものではない商品券がリジェクト券として紙葉類搬送部７２４からリジェクト部７３０に送られてこのリジェクト部７３０に集積されるようになっている。リジェクト部７３０は有価媒体処理装置７１０の筐体７１２の外部から操作者がアクセス可能となっており、リジェクト部７３０に集積されたリジェクト券は操作者により筐体７１２の外部に取り出されるようになっている。
【０１１５】
また、図１７に示すように、紙葉類搬送部７２４にはスタッカ部７３２が接続されており、このスタッカ部７３２には、紙葉類搬送部７２４から送られた１００枚程度までの紙葉類が集積されるようになっている。スタッカ部７３２は、シャッター７３３を介して外部からアクセス可能となっており、シャッター７３３の開放時に外部から紙葉類を取り出し可能となっている。もっとも、シャッター７３３の設置を省略することも可能である。その場合は、スタッカ部７３１は、リジェクト部７３０と同様に、常時外部からアクセス可能（紙葉類を取り出し可能）となる。
【０１１６】
また、図１７に示すように、紙葉類搬送部７２４には第１の紙葉類一時保留部７３４および第２の紙葉類一時保留部７３６がそれぞれ接続されており、紙葉類識別部７２６により識別された紙葉類のうち予め設定された所定の種類の紙葉類が紙葉類搬送部７２４から第１の紙葉類一時保留部７３４や第２の紙葉類一時保留部７３６に送られてこれらの第１の紙葉類一時保留部７３４や第２の紙葉類一時保留部７３６に一時的に保留されるようになっている。また、第１の紙葉類一時保留部７３４の下方には第１の紙葉類回収カセット７３８が設けられているとともに、第２の紙葉類一時保留部７３６の下方には第２の紙葉類回収カセット７４０が設けられている。そして、第１の紙葉類一時保留部７３４や第２の紙葉類一時保留部７３６に紙葉類が一時的に保留された後、有価媒体処理装置７１０の制御部７８０（後述）に対して操作表示部７８２（後述）により入金確定の指令が与えられると、第１の紙葉類一時保留部７３４や第２の紙葉類一時保留部７３６の底面が開放されてこれらの第１の紙葉類一時保留部７３４や第２の紙葉類一時保留部７３６に一時的に保留されている紙葉類が第１の紙葉類回収カセット７３８や第２の紙葉類回収カセット７４０に収納されるようになっている。これらの第１の紙葉類回収カセット７３８や第２の紙葉類回収カセット７４０は、有価媒体処理装置７１０の筐体７１２から取り外し可能となっており、第１の紙葉類回収カセット７３８や第２の紙葉類回収カセット７４０を筐体７１２から取り外すことによりこれらの第１の紙葉類回収カセット７３８や第２の紙葉類回収カセット７４０に収納されている紙葉類を取り出すことができるようになっている。
【０１１７】
また、第１の紙葉類一時保留部７３４や第２の紙葉類一時保留部７３６に紙葉類が一時的に保留された後、有価媒体処理装置７１０の制御部７８０（後述）に対して操作表示部７８２（後述）により返却指令が与えられると、第１の紙葉類一時保留部７３４や第２の紙葉類一時保留部７３６に一時的に保留された紙葉類が有価媒体処理装置７１０の筐体７１２の外部に返却されるようになっている。ここで、第１の紙葉類一時保留部７３４や第２の紙葉類一時保留部７３６は、第１の紙葉類回収カセット７３８や第２の紙葉類回収カセット７４０から独立して有価媒体処理装置７１０の筐体７１２から手前側に引き出し可能となっている。具体的には、図１６に示すように、有価媒体処理装置７１０の前面において下部扉７１４の右上箇所に一時保留部用扉７１６が設けられており、第１の紙葉類一時保留部７３４内の保留紙幣を回収する際には、この一時保留部用扉７１６を開くことで第１の紙葉類一時保留部７３４内の保留紙幣を取り出すことができるようになっている。一方、第２の紙葉類一時保留部７３６内の保留紙幣を回収する際には、この一時保留部用扉７１６を開き、第１の紙葉類一時保留部７３４および第２の紙葉類一時保留部７３６をそれぞれ筐体７１２から手前側に引き出すことで第２の紙葉類一時保留部７３６の上面から保留紙幣を取り出すことができるようになる。
【０１１８】
次に、硬貨処理機構７５０の構成について以下に説明する。図１６および図１７に示すように、硬貨処理機構７５０には例えばホッパ等からなる硬貨投入部７５２が設けられており、この硬貨投入部７５２には硬貨搬送部７５４が接続されている。ここで、硬貨投入部７５２に投入された硬貨は硬貨搬送部７５４により一層一列状態で１枚ずつ搬送されるようになっている。また、硬貨搬送部７５４には硬貨識別部７５６が設けられており、硬貨搬送部７５４により搬送される硬貨は硬貨識別部７５６によりその真偽や金種等について識別が行われるようになっている。また、硬貨識別部７５６よりも硬貨の搬送方向における下流側において、硬貨搬送部７５４の搬送面には硬貨リジェクト口および２つの分岐口がそれぞれ設けられており、これらの硬貨リジェクト口や各分岐口にはソレノイド付き選別部材（図示せず）がそれぞれ設けられている。そして、各ソレノイド付き選別部材により、硬貨搬送部７５４により搬送される硬貨が硬貨リジェクト口や各分岐口に選択的に入れられ、硬貨搬送部７５４から分岐されるようになっている。
【０１１９】
図１７に示すように、硬貨搬送部７５４における硬貨リジェクト口の下方には硬貨リジェクトシュート７５８を介して硬貨リジェクト部７６０が設けられている。ここで、硬貨識別部７５６により識別された硬貨のうち、正常な硬貨ではないリジェクト硬貨は硬貨リジェクト口により硬貨搬送部７５４から分岐されて硬貨リジェクトシュート７５８に送られ、この硬貨リジェクトシュート７５８により硬貨リジェクト部７６０に導かれるようになっている。このような硬貨リジェクト部７６０は有価媒体処理装置７１０の筐体７１２の外部に取り出し可能となっており、操作者は、硬貨リジェクト部７６０を筐体７１２の外部に取り出した後、この硬貨リジェクト部７６０からリジェクト硬貨を取り出すようになっている。
【０１２０】
また、硬貨搬送部７５４に設けられた２つの分岐口の各々の下方には第１の硬貨搬送シュート７６１および第２の硬貨搬送シュート７６３を介して第１の硬貨一時保留部７６２および第２の硬貨一時保留部７６４がそれぞれ設けられており、所定の金種の硬貨がそれぞれ硬貨搬送部７５４から分岐口により分岐されて第１の硬貨搬送シュート７６１や第２の硬貨搬送シュート７６３に送られ、第１の硬貨一時保留部７６２や第２の硬貨一時保留部７６４に一時的に保留されるようになっている。ここで、第１の硬貨一時保留部７６２および第２の硬貨一時保留部７６４はそれぞれ、上方および下方が開口された枠体と、この枠体の下方開口を選択的に閉じる底板とを有しており、枠体の下方開口を底板が閉じた状態で、第１の硬貨一時保留部７６２や第２の硬貨一時保留部７６４に硬貨が一時的に保留されるようになっている。
【０１２１】
また、図１７に示すように、第１の硬貨一時保留部７６２や第２の硬貨一時保留部７６４の下方には、硬貨返却箱７６６、第１の硬貨回収カセット７６８および第２の硬貨回収カセット７７０がそれぞれ設けられており、第１の硬貨一時保留部７６２や第２の硬貨一時保留部７６４に一時的に保留された硬貨は、これらの硬貨返却箱７６６、第１の硬貨回収カセット７６８および第２の硬貨回収カセット７７０のうち何れかに送られるようになっている。ここで、第１の硬貨回収カセット７６８には第１の硬貨一時保留部７６２に一時的に保留された硬貨が送られるようになっており、また、第２の硬貨回収カセット７７０には第２の硬貨一時保留部７６４に一時的に保留された硬貨が送られるようになっている。また、硬貨返却箱７６６は２つの領域に区分けされている。そして、第１の硬貨一時保留部７６２や第２の硬貨一時保留部７６４に硬貨が一時的に保留された後、有価媒体処理装置７１０の制御部７８０（後述）に対して操作表示部７８２（後述）により入金確定の指令が与えられると、第１の硬貨一時保留部７６２や第２の硬貨一時保留部７６４の枠体が水平方向に移動して、この枠体内にある硬貨がそれぞれ第１の硬貨回収カセット７６８や第２の硬貨回収カセット７７０に収納されるようになる。これらの第１の硬貨回収カセット７６８や第２の硬貨回収カセット７７０は、有価媒体処理装置７１０の筐体７１２から取り外し可能となっており、第１の硬貨回収カセット７６８や第２の硬貨回収カセット７７０を筐体７１２から取り外すことによりこれらの第１の硬貨回収カセット７６８や第２の硬貨回収カセット７７０に収納されている硬貨を取り出すことができるようになっている。
【０１２２】
また、第１の硬貨一時保留部７６２や第２の硬貨一時保留部７６４に硬貨が一時的に保留された後、有価媒体処理装置７１０の制御部７８０（後述）に対して操作表示部７８２（後述）により返却指令が与えられると、第１の硬貨一時保留部７６２や第２の硬貨一時保留部７６４の底板が水平方向に移動して枠体の下部開口が開くことにより、この枠体内にある硬貨が硬貨返却箱７６６に収納される。ここで、前述したように硬貨返却箱７６６は２つの領域に区分けされており、第１の硬貨一時保留部７６２および第２の硬貨一時保留部７６４からそれぞれ送られた硬貨が、２つに区分けされた各領域に収納されるようになる。硬貨返却箱７６６は有価媒体処理装置７１０の筐体７１２から前方に引き出し可能となっており、硬貨返却箱７６６を筐体７１２から前方に引き出すことにより操作者はこの硬貨返却箱７６６から返却硬貨を取り出すことができるようになる。
【０１２３】
また、本実施の形態では、第１の紙葉類回収カセット７３８、第２の紙葉類回収カセット７４０、第１の硬貨回収カセット７６８および第２の硬貨回収カセット７７０はそれぞれ引出ユニット７１３に収容されており、この引出ユニット７１３から各カセット７３８、７４０、７６８、７７０を取り出し可能となっている。また、引出ユニット７１３は筐体７１２から引き出し可能となっている。また、筐体７１２の内部における引出ユニット７１３が収容される収容領域の後端部には検知センサ７７６が設けられているとともに、引出ユニット７１３の後端部には検知センサ７７６により検知される被検知板（図示せず）が取り付けられている。そして、引出ユニット７１３が筐体７１２の内部に収容されているときには検知センサ７７６により被検知板が検知されることによって、後述する制御部７８０において筐体７１２内に引出ユニット７１３が収容されていると判定される。一方、引出ユニット７１３が筐体７１２の内部から手前側に引き出されているときには検知センサ７７６により被検知板が検知されない。このことにより、後述する制御部７８０において筐体７１２内に引出ユニット７１３が収容されていないと判定される。また、引出ユニット７１３には、当該引出ユニット７１３を筐体７１２の内部にロックするためのロック機構７７５（図１８参照）が設けられている。このようなロック機構７７５は、図１等に示す紙幣処理装置１０に設けられたロック機構５０と略同一の構成となっている。
【０１２４】
また、図１８に示すように、本実施の形態の有価媒体処理装置７１０では、この有価媒体処理装置７１０における各構成要素の制御を行うＣＰＵ（中央演算処理ユニット）等の制御部７８０が設けられている。より詳細には、制御部７８０には紙葉類処理機構７２０、硬貨処理機構７５０、ロック機構７７５、検知センサ７７６等がそれぞれ接続されており、この制御部７８０から各構成要素に指令信号が送られることにより、これらの各構成要素が制御されるようになっている。また、前述したように、有価媒体処理装置７１０の上側部分には例えばタッチパネル等からなる操作表示部７８２が配設されているが、この操作表示部７８２も制御部７８０に接続されており、このことにより、操作者は操作表示部７８２によって制御部７８０に対して様々な指令を与えたり、あるいは操作表示部７８２における表示内容が制御部７８０により制御されたりするようになっている。このような操作表示部７８２には、例えば操作ガイダンスや入金処理時の取引データ、あるいは各回収カセット７３８、７４０、７６８、７７０に収納された貨幣や商品券の在高等のデータが表示されるようになっている。
【０１２５】
また、制御部７８０には記憶部７８４が接続されており、この記憶部７８４には、入金処理時の取引データや、各回収カセット７３８、７４０、７６８、７７０に収納された貨幣や商品券の在高等のデータが記憶されるようになっている。また、本実施の形態では、制御部７８０は、紙葉類投入部７２２により筐体７１２内に投入され、紙葉類識別部７２６により識別が行われた紙幣や商品券等の有価媒体について、当該紙葉類識別部７２６においてイメージセンサ７２７により取得された有価媒体の画像データに基づいて取得された有価媒体の識別番号（具体的には、紙幣の記番号や商品券の券番号）を記憶部７８４に記憶させるようになっている。また、記憶部７８４には、制御部７８０により実行することが可能なプログラムが記憶されている。このような記憶部７８４は、ＲＯＭやＲＡＭなどのメモリー、フラッシュメモリ、ハードディスク、ＣＤ−ＲＯＭ、ＤＶＤ−ＲＯＭなどのディスク状記憶媒体、その他の公知な記憶媒体から構成され得る。そして、制御部７８０は、記憶部７８４に記録されているプログラムに沿って、有価媒体処理装置７１０の各構成部材に処理を実行させるようになっている。
【０１２６】
また、制御部７８０には、操作者の管理権限を認証するための認証部７８６が設けられている。認証部７８６は、例えば有価媒体処理装置７１０の上側部分における操作表示部７８２の右側に配置され、操作者が携帯するＩＣカードの読み取りを行うＩＣカードリーダ７８３（図１６参照）からなり、このようなＩＣカードリーダ７８３で操作者が携帯するＩＣカードの読み取りを行うことによりこの操作者の管理権限が店舗側の管理権限および警送会社側の管理権限のうち何れかを判定するようになっている。また、制御部７８０にはプリンタ７８８が接続されており、このプリンタ７８８により、入金処理時の取引データや、有価媒体処理装置７１０の締め処理や回収処理の際における各回収カセット７３８、７４０、７６８、７７０やスタッカ部７３２に収納された貨幣や商品券の在高等のデータ等の印字が行われるようになっている。また、制御部７８０には通信部７９０が接続されており、この通信部７９０により、有価媒体処理装置７１０の制御部７８０は外部の管理装置７９２に対して信号の送受信を行うことができるようになっている。具体的には、有価媒体処理装置７１０の入金処理時の取引データが通信部７９０を介して管理装置７９２に送信されたり、有価媒体処理装置７１０の様々な設定情報等が通信部７９０により管理装置７９２から受信されたりするようになっている。
【０１２７】
また、図１８に示すように、制御部７８０は、異常に係る情報を出力する異常情報出力手段７８１を有している。ここで、異常情報出力手段７８１により出力される異常に係る情報は、ハーフロック状態の引出ユニット７１３が筐体７１２から引き出されたという情報である。このような異常情報出力手段７８１の機能の詳細については後述する。
【０１２８】
次に、このような構成からなる有価媒体処理装置７１０の動作について以下に説明する。なお、以下に示すような有価媒体処理装置７１０の動作は、制御部７８０が有価媒体処理装置７１０の各構成部材を制御することにより行われるようになっている。
【０１２９】
有価媒体処理装置７１０において紙葉類や硬貨の入金処理や出金処理が行われている間に、例えば紙葉類処理機構７２０や硬貨処理機構７５０において紙葉類や硬貨が詰まる等の異常（エラー）が発生すると、紙葉類処理機構７２０や硬貨処理機構７５０における紙葉類や硬貨の処理が中断されるとともに、操作表示部７８２には異常の解除操作方法が各工程に対応して順に表示される。また、引出ユニット７１３の内部（例えば、各カセット７３８、７４０、７６８、７７０等）で紙葉類や硬貨の詰まり等の異常が発生した場合には、ロック機構７７５による引出ユニット７１３のロックを解除する指令が管理装置７９２から有価媒体処理装置７１０に送信される。そして、ロック機構７７５による引出ユニット７１３のロックを解除する指令が制御部７８０に与えられると、ロック機構７７５による引出ユニット７１３のロックが解除される。このことにより、操作者は引出ユニット７１３を筐体７１２から手前側に引き出すことができるようになる。
【０１３０】
その後、操作者が引出ユニット７１３を筐体７１２から手前側に引き出すと、検知センサ７７６により引出ユニット７１３の被検知板が検知されなくなる。そして、詰まりの原因となる紙葉類や硬貨が操作者によって引出ユニット７１３から取り除かれ、異常が解消された後、操作者が引出ユニット７１３を筐体７１２の内部に押し込むと、引出ユニット７１３は筐体７１２の内部にロックされるようになる。また、引出ユニット７１３が筐体７１２の内部に収容されると、検知センサ７７６により引出ユニット７１３の被検知板が検知される。このようにして操作者により引出ユニット７１３が筐体７１２の内部に収容されると、有価媒体処理装置７１０においてリセット動作が行われ、有価媒体処理装置７１０は待機状態に戻ったり、あるいは元の処理の続きが行われたりするようになる。このようにして本実施の形態における異常の解除操作に係る一連の動作が完了する。
【０１３１】
なお、操作者が引出ユニット７１３を筐体７１２の内部に戻す際に、引出ユニット７１３を押し込む力が弱い等により、ロック機構７７５が引出ユニット７１３を不完全にロックするようなハーフロック状態となってしまう場合がある。なお、ハーフロック状態の場合には、引出ユニット７１３の後端部に設けられている被検知板が検知センサ７５９により検知されることによって、制御部７８０において筐体７１２内に引出ユニット７１３が収容されていると判定される。しかしながら、このようなハーフロック状態から操作者が引出ユニット７１３を筐体７１２から手前側に引き出すことが可能となる。
【０１３２】
ここで、操作者が引出ユニット７１３を筐体７１２の内部に戻す際に、ロック機構７７５が引出ユニット７１３を不完全にロックするようなハーフロック状態となってしまうと、この操作者が有価媒体処理装置７１０から離れた後に別の第三者により引出ユニット７１３が筐体７１２から引き出されることにより各回収カセット７３８、７４０、７６８、７７０がこの第三者によって持ち去られてしまうおそれがある。このため、ハーフロック状態の引出ユニット７１３が筐体７１２から引き出された場合にはこのことを報知する必要がある。
【０１３３】
この点について、本実施の形態の有価媒体処理装置７１０では、ロック機構７７５による引出ユニット７１３のロックを解除する指令が管理装置７９２から有価媒体処理装置７１０に送信されず、ロック機構７７５による引出ユニット７１３のロックを解除する指令を制御部７８０が受け付けていない状態で、検知センサ７７６による検知結果に基づいて引出ユニット７１３が筐体７１２に収容されている収容状態から筐体７１２から引き出された引出状態になったと判定されたときに、異常情報出力手段７８１によって異常に係る情報（具体的には、ハーフロック状態の引出ユニット７１３が筐体７１２から引き出されたという情報）が出力されるようになっている。また、異常情報出力手段７８１により出力された異常に係る情報は操作表示部７８２に表示されるようになっており、このような操作表示部７８２による表示によってハーフロック状態の引出ユニット７１３が筐体７１２から引き出されたという情報が報知されるようになっている。このことにより、操作者が引出ユニット７１３を筐体７１２の内部に戻す際に、引出ユニット７１３を押し込む力が弱い等により、ロック機構７７５が引出ユニット７１３を不完全にロックするようなハーフロック状態となってしまった場合でも、ハーフロック状態の引出ユニット７１３が筐体７１２から引き出されると、この情報を操作表示部７８２によって報知することができるようになる。
【０１３４】
また、本実施の形態の有価媒体処理装置７１０では、異常情報出力手段７８１により出力された異常に係る情報（具体的には、ハーフロック状態の引出ユニット７１３が筐体７１２から引き出されたという情報）が制御部７８０から通信部７９０により管理装置７９２に送信されるようになっていてもよい。この場合には、管理装置７９２において、ハーフロック状態の引出ユニット７１３が筐体７１２から引き出されたという情報を把握することができるようになる。また、異常情報出力手段７８１により異常に係る情報が出力されると、有価媒体処理装置７１０において紙葉類や硬貨の処理を行うことができなくなるようにしてもよい。さらに、有価媒体処理装置７１０において紙葉類や硬貨が行われている最中に異常情報出力手段７８１により異常に係る情報が出力されると、有価媒体処理装置７１０における紙葉類や硬貨の処理が停止されるようになっていてもよい。これらの技術的事項によれば、ハーフロック状態の引出ユニット７１３が筐体７１２から引き出された場合に有価媒体処理装置７１０において紙葉類や硬貨の余分な処理が行われてしまうことを抑制することができるようになる。また、有価媒体処理装置７１０における紙葉類や硬貨の処理が停止されると、停止された紙葉類や硬貨の処理に係る情報が制御部７８０から通信部７９０により管理装置７９２に送信されるようになっていてもよい。
【０１３５】
以上のような構成からなる本実施の形態の有価媒体処理装置７１０によれば、ロック機構７７５による引出ユニット７１３のロックを解除する指令が管理装置７９２から有価媒体処理装置７１０に与えられていない状態で検知センサ７７６による検知結果に基づいて引出ユニット７１３が筐体７１２に収容されている収容状態から筐体７１２から引き出された引出状態になったと判定されたときに、異常情報出力手段７８１により異常に係る情報が出力されるようになっている。このような技術的事項によれば、ロック機構７７５が引出ユニット７１３を不完全にロックしているハーフロック状態を検知するハーフロック状態検知部を設けなくても、ハーフロック状態の引出ユニット７１３が筐体７１２から引き出されると異常に係る情報を出力することができるため、有価媒体処理装置７１０の構造をシンプルなものとすることができる。
【０１３６】
また、本実施の形態による有価媒体処理装置７１０は、上述したような態様に限定されることはなく、様々な変更を加えることができる。
【０１３７】
上述した態様では、異常に係る情報を出力する異常情報出力手段７８１が有価媒体処理装置７１０の制御部７８０に設けられている例について述べたが、本実施の形態による有価媒体処理装置７１０はこのような態様に限定されることはない。他の例として、異常に係る情報を出力する異常情報出力手段が管理装置７９２に設けられていてもよい。この場合には、異常情報出力手段により出力された異常に係る情報は当該管理装置７９２のモニタ等に表示されたり、管理装置７９２から有価媒体処理装置７１０の制御部７８０に送信されることによって有価媒体処理装置７１０の操作表示部７８２に表示されたりするようになる。また、更に他の例として、異常に係る情報を出力する異常情報出力手段が有価媒体処理装置７１０や管理装置７９２以外の装置に設けられていてもよい。この場合には、異常情報出力手段により出力された異常に係る情報は、有価媒体処理装置７１０や管理装置７９２以外の装置のモニタ等に表示されたり、当該装置から有価媒体処理装置７１０の制御部７８０に送信されることによって有価媒体処理装置７１０の操作表示部７８２に表示されたりするようになる。
【０１３８】
また、本実施の形態による有価媒体処理装置７１０が管理装置７９２と通信可能に接続されておらず、有価媒体処理装置７１０が単体で用いられるようになっていてもよい。この場合には、ロック機構７７５による引出ユニット７１３のロックを解除する指令を操作者が操作表示部７８２によって制御部７８０に入力することにより、ロック機構７７５による引出ユニット７１３のロックが解除される。ここで、単体で用いられる有価媒体処理装置７１０において、ロック機構７７５による引出ユニット７１３のロックを解除する指令を受け付けていない状態で検知センサ７７６による検知結果に基づいて引出ユニット７１３が筐体７１２に収容されている収容状態から筐体７１２から引き出された引出状態になったと判定されたときに、異常情報出力手段７８１により異常に係る情報が出力されるようになっている。このように、有価媒体処理装置７１０が単体で用いられる場合でも、ロック機構７７５が引出ユニット７１３を不完全にロックしているハーフロック状態を検知するハーフロック状態検知部を設けなくても、ハーフロック状態の引出ユニット７１３が筐体７１２から引き出されると異常に係る情報を出力することができるため、有価媒体処理装置７１０の構造をシンプルなものとすることができる。
【０１３９】
なお、上記の説明では、本発明の原理を、銀行等の金融機関の事務所スペースに設置される貨幣処理システム、商業施設の店舗における顧客が立ち入ることができるフロント領域の精算所に設けられた貨幣釣銭機、および商業施設の店舗における顧客が立ち入ることができないバックヤード領域の精算所に設けられた出納機としての有価媒体処理装置にそれぞれ適用した例について述べたが、本発明の原理が適用される有価媒体処理装置や有価媒体処理システムはこのような例に限定されることはない。本発明の原理が適用される有価媒体処理装置として、他の様々な種類の装置を用いることができる。
【符号の説明】
【０１４０】
１        貨幣処理システム
２        貨幣処理装置
３        管理装置
１０      紙幣処理装置
１２      筐体
１２ａ    下部扉
１３      引出ユニット
１３ａ    被検知板
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      バラ紙幣収納部
３２ａ    ステージ
３２ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
５１      固定部材
５２      ロック部材
５２ａ    軸
５２ｂ    突出部分
５２ｃ    傾斜面
５４      モータ
５６      リンク板
５８      ロックピン
５９      検知センサ
６０      帯封紙幣搬送部
６０ａ    突起
６０ｂ    循環ベルト
６２      判別部
７０      帯封紙幣収納部
７０ａ    ステージ
１１０    硬貨処理装置
１１２    筐体
１２０    バラ硬貨処理ユニット
１３０    包装硬貨処理ユニット
３００    制御部
３０１    異常情報出力手段
３０２    操作表示部
３０４    印字部
３０６    記憶部
３０７    プログラム
３０８    通信インターフェース部
３０９    記録媒体読取部
５００    貨幣釣銭機
５０２    上位制御部
５０３    通信部
５０４    操作表示部
５０６    記憶部
５０８    異常情報出力手段
５１０    紙幣処理装置
５１０ａ  紙幣制御部
５１２    筐体
５１３    引出ユニット
５２０    紙幣受入部
５２０ａ  紙幣受入口
５２１    紙幣繰出機構
５２２    紙幣払出部
５２２ａ  紙幣取出口
５２４    出金リジェクト部
５２６    カセット装着部
５２６ａ  扉
５２８    収納カセット
５２９    ロック機構
５３０    搬送部
５３０ａ  周回搬送部
５３０ｂ  接続搬送部
５３１    検知センサ
５３２    識別部
５３４、５３６、５３８    紙幣収納部
５３５、５３７、５３９    紙幣繰出機構
５４０    通信部
５５０    硬貨処理装置
５５０ａ  硬貨制御部
５５１    筐体
５５２    硬貨受入部
５５３    硬貨繰出機構
５５４    入金搬送部
５５６    識別部
５５８    分岐部
５６０    収納繰出部
５６２    出金搬送部
５６６    硬貨払出部
５６９    検知センサ
５７０    ロック機構
５８０    包装硬貨収納装置
５８０ａ  包装硬貨制御部
５８１    筐体
５８２    収納ドロア
５８４    検知手段
５８４ａ、５８４ｂ  光センサ
５８４ｃ  ロータリエンコーダ
５８６    ロック機構
５８７    検知センサ
５８８    記憶部
５８９    通信部
５９０    ＰＯＳレジスタ
５９１    ＰＯＳ制御部
５９２    通信部
５９３    表示部
５９３ａ  追加の表示部
５９４    操作部
５９５    記憶部
５９６    カードリーダ
５９７    印字部
７１０    有価媒体処理装置
７１２    筐体
７１３    引出ユニット
７１４    下部扉
７１６    一時保留部用扉
７２０    紙葉類処理機構
７２２    紙葉類投入部
７２３    紙葉類繰出部
７２４    紙葉類搬送部
７２６    紙葉類識別部
７２７    イメージセンサ
７２８    消し込み部
７３０    リジェクト部
７３２    スタッカ部
７３３    シャッター
７３４    第１の紙葉類一時保留部
７３６    第２の紙葉類一時保留部
７３８    第１の紙葉類回収カセット
７４０    第２の紙葉類回収カセット
７５０    硬貨処理機構
７５２    硬貨投入部
７５４    硬貨搬送部
７５６    硬貨識別部
７５８    硬貨リジェクトシュート
７５９    検知センサ
７６０    硬貨リジェクト部
７６１    第１の硬貨搬送シュート
７６２    第１の硬貨一時保留部
７６３    第２の硬貨搬送シュート
７６４    第２の硬貨一時保留部
７６６    硬貨返却箱
７６８    第１の硬貨回収カセット
７７０    第２の硬貨回収カセット
７７５    ロック機構
７７６    検知センサ
７８０    制御部
７８１    異常情報出力手段
７８２    操作表示部
７８３    ＩＣカードリーダ
７８４    記憶部
７８６    認証部
７８８    プリンタ
７９０    通信部
７９２    管理装置
【図１】
2019169041.tif 000003
【図２】
2019169041.tif 000004
【図３】
2019169041.tif 000005
【図４】
2019169041.tif 000006
【図５】
2019169041.tif 000007
【図６】
2019169041.tif 000008
【図７】
2019169041.tif 000009
【図８】
2019169041.tif 000010
【図９】
2019169041.tif 000011
【図１０】
2019169041.tif 000012
【図１１】
2019169041.tif 000013
【図１２】
2019169041.tif 000014
【図１３】
2019169041.tif 000015
【図１４】
2019169041.tif 000016
【図１５】
2019169041.tif 000017
【図１６】
2019169041.tif 000018
【図１７】
2019169041.tif 000019
【図１８】
2019169041.tif 000020